(57)【特許請求の範囲】
【請求項１】
外部から磁界を作用されて作動するスイッチ部を複数有し、該複数のスイッチ部が直列に接続されており、各スイッチ部に外部磁界が個別に且つ同時に作用した場合にのみ、全部のスイッチ部が作動する構成の作動条件制約型スイッチにおいて、
細長い形状のベース上に、複数のスイッチ部が、電気的には導体であって磁気的には非磁性体である接続部材でもって直列に接続されて、直線上に整列しており、
前記各スイッチ部が、前記ベース上に固定された一対のリード片よりなる構成であり、
全体がカバーによって覆われており、
両端に実装用の端子部を有する構成とした作動条件制約型スイッチ。
【請求項２】
請求項１記載のスイッチにおいて、
上記の各スイッチ部は、そのリード片に磁束が出入りする位置を定める磁極片が設けてある構成としたことを特徴とした作動条件制約型スイッチ。
【請求項３】
細長い形状のベースと、
該ベース上に対をなすように固定されたリード片よりなるスイッチ部と、
該ベース上に、該スイッチ部に対向して設けてあり、対をなすリード片のうち一つのリード片の先端を磁気吸引させて他方のリード片から離間した位置に保持させる継鉄・永久磁石組立体とよりなり、
上記一つのリード片の先端にそれまでとは逆の磁極を出現させる外部磁界が作用した場合にのみ、上記スイッチ部のリード片同士が接触する構成としたことを特徴とする作動条件制約型スイッチ。
【請求項４】
請求項３記載のスイッチにおいて、
上記のスイッチ部は、その各リード片に、磁束が出入りする位置を定める磁極片が設けた構成としたことを特徴とする作動条件制約型スイッチ。
【請求項５】
外部から磁界を作用されて作動するスイッチ部を複数有し、該複数のスイッチ部が直列に接続されており、各スイッチ部に外部磁界が個別に且つ同時に作用した場合にのみ、全部のスイッチ部が作動する構成の作動条件制約型スイッチにおいて、
細長い形状のベース上に、複数のスイッチ部が、電気的には導体であって磁気的には非磁性体である接続部材でもって直列に接続されて、直線上に整列しており、
且つ、前記ベース上に、各スイッチ部に対向して設けてあり、対をなすリード片のうち一つのリード片の先端を磁気吸引させて他方のリード片から離間した位置に保持させる複数の継鉄・永久磁石組立体を有する構成であり、
各スイッチ部に、上記一つのリード片の先端にそれまでとは逆の磁極が現れるように外部磁界が個別に且つ同時に作用した場合にのみ、全部のスイッチ部が作動する構成としたことを特徴とする作動条件制約型スイッチ。
【請求項６】
請求項５記載のスイッチにおいて、
上記複数の継鉄・永久磁石組立体は、全部のスイッチ部についてその一つのリード片の先端に対向する磁極が同じである構成としたことを特徴とする作動条件制約型スイッチ。
【請求項７】
請求項５記載のスイッチにおいて、
上記複数の継鉄・永久磁石組立体は、スイッチ部毎にその一つのリード片の先端に対向する磁極が異なる構成としたことを特徴とする作動条件制約型スイッチ。
【請求項８】
一対のリード片よりなる第１及び第２のスイッチ部が、電気的には導体であって磁気的には非磁性体である接続部材でもって直列に接続されてモールドベース本体上に配置してあり、該モールドベース本体の両端に端子部材を有する構成であり、各スイッチ部に所定の外部磁界が個別に且つ同時に作用した場合にのみ、第１及び第２のスイッチ部が作動する構成である作動条件制約型スイッチであって、
上記接続部材及び上記端子部材は、厚さが異なり、モールドベース本体内に埋め込まれており、上記リード片の基部が上記接続部材及び上記端子部材に固定してある構成としたことを特徴とする作動条件制約型スイッチ
【請求項９】
請求項８記載の作動条件制約型スイッチにおいて、
上記接続部材及び上記端子部材は、モールドベース本体内にインサート成形された厚さが相違する部分を有する一つの板部材のうちの別々の部分であって厚さが異なる別々の部分よりなる構成としたことを特徴とする作動条件制約型スイッチ。
【請求項１０】
一対のリード片よりなる第１及び第２のスイッチ部が、電気的には導体であって磁気的には非磁性体である接続部材でもって直列に接続されており、両端に端子部材を有する構成であり、各スイッチ部に所定の外部磁界が個別に且つ同時に作用した場合にのみ、第１及び第２のスイッチ部が作動する構成である作動条件制約型スイッチであって、
インサートモールドベース上に上記第１及び第２のスイッチ部を有するスイッチ組立体と、
該スイッチ組立体を覆うカバーとよりなり、
該カバーは、所定の厚さの天板部を有する構成としたことを特徴とする作動条件制約型スイッチ。
【請求項１１】
一対のリード片よりなる第１及び第２のスイッチ部が、電気的には導体であって磁気的には非磁性体である接続部材でもって直列に接続されており、両端に端子部材を有する構成であり、各スイッチ部に所定の外部磁界が個別に且つ同時に作用した場合にのみ、第１及び第２のスイッチ部が作動する構成である作動条件制約型スイッチであって、
上記第１スイッチ部と第２のスイッチ部は、その長手方向に対して直交する方向にずれている構成としたことを特徴とする作動条件制約型スイッチ。
【請求項１２】
リード片よりなる第１及び第２のスイッチ部が電気的には導体であって磁気的には非磁性体である接続部材でもって直列に接続されている構成である作動条件制約型スイッチの各スイッチ部に外部磁界を作用させる外部磁界発生ユニットであって、
上記第１のスイッチ部に作用させる外部磁界を発生する第１の永久磁石及び上記第２のスイッチ部に作用させる外部磁界を発生する第２の永久磁石を、その磁極の並びの方向をリード片の長手方向に対して垂直の方向に定めた構成としたことを特徴とする外部磁界発生ユニット。
【請求項１３】
リード片よりなる第１及び第２のスイッチ部が電気的には導体であって磁気的には非磁性体である接続部材でもって直列に接続されている構成である作動条件制約型スイッチの各スイッチ部に外部磁界を作用させる外部磁界発生ユニットであって、
上記第１のスイッチ部に作用させる外部磁界を発生する第１の永久磁石及び上記第２のスイッチ部に作用させる外部磁界を発生する第２の永久磁石を、その磁極の並びの方向をリード片の長手方向に対して垂直の方向であって、且つ極性の配置が同じであるように定め、
且つ、上記第１の永久磁石と第２の永久磁石との間の位置に、その磁極の並びの方向をリード片の長手方向に対して垂直の方向であって、且つ極性の配置が上記の第１、第２の永久磁石の極性の配置とは逆である第３の永久磁石を有する構成としたことを特徴とする外部磁界発生ユニット。
【請求項１４】
リード片よりなる第１及び第２のスイッチ部が電気的には導体であって磁気的には非磁性体である接続部材でもって直列に接続されている構成である作動条件制約型スイッチの各スイッチ部に外部磁界を作用させる外部磁界発生ユニットであって、
上記第１のスイッチ部に対向する部分及び上記第２のスイッチ部に対向する部分が同じ磁極であり、上記第１のスイッチ部と第２のスイッチ部との間の位置に対向する部分が上記の磁極とは異なる磁極である単一の永久磁石よりなる構成としたことを特徴とする外部磁界発生ユニット。
【請求項１５】
請求項１乃至１１のうち何れか一項の作動条件制約型スイッチと、
請求項１２乃至１４のうち何れか一項の外部磁界発生ユニットとからなる構成としたことを特徴とする作動条件制約型スイッチ装置。
【請求項１６】
一対のリード片よりなる第１及び第２のスイッチ部が、電気的には導体であって磁気的には非磁性体である接続部材でもって直列に接続されており、両端に端子部材を有する構成であり、且つ、上記第１のスイッチ部と第２のスイッチ部との間に、磁極の並びの方向が第１及び第２のスイッチ部の整列方向に垂直である永久磁石を有する構成である作動条件制約型スイッチと、
上記第１のスイッチ部に作用させる外部磁界を発生する第１の永久磁石及び上記第２のスイッチ部に作用させる外部磁界を発生する第２の永久磁石を、その磁極の並びの方向をリード片の長手方向に対して垂直の方向に定めた構成である外部磁界発生ユニットとからなる構成としたことを特徴とする作動条件制約型スイッチ装置。
【請求項１７】
第１の作動条件制約型スイッチと第２の作動条件制約型スイッチとよりなる作動条件制約型スイッチ装置であって、
第１の作動条件制約型スイッチは、リード片よりなるスイッチ部と、永久磁石とを有し、
第２の作動条件制約型スイッチは、リード片よりなるスイッチ部と、永久磁石とを有し、
第１の作動条件制約型スイッチと第２の作動条件制約型スイッチとは、第１の作動条件制約型スイッチの永久磁石と第２の作動条件制約型スイッチのスイッチ部とが対向し、第１の作動条件制約型スイッチのスイッチ部と第２の作動条件制約型スイッチの永久磁石とが対向する関係となる構成としたことを特徴とする作動条件制約型スイッチ装置。
【請求項１８】
請求項１７記載の作動条件制約型スイッチ装置において、
第１の作動条件制約型スイッチ及び第２の作動条件制約型スイッチが同じものよりなる構成としたことを特徴とする作動条件制約型スイッチ装置。
【請求項１９】
請求項１７記載の作動条件制約型スイッチ装置において、
第１の作動条件制約型スイッチは、
スイッチ部が、第１及び第２のスイッチ部が電気的には導体であって磁気的には非磁性体である接続部材でもって直列に接続されている構成であり、
永久磁石は、第１の永久磁石と第２の永久磁石とを有する構成であり、
第２の作動条件制約型スイッチは、
スイッチ部が、第１及び第２のスイッチ部が電気的には導体であって磁気的には非磁性体である接続部材でもって直列に接続されている構成であり、
永久磁石は、第１の永久磁石と第２の永久磁石とを有する構成であり、
第１の作動条件制約型スイッチと第２の作動条件制約型スイッチとは、第１の作動条件制約型スイッチの第１,第２の永久磁石と第２の作動条件制約型スイッチの第１及び第２のスイッチ部とが夫々対向し、第１の作動条件制約型スイッチの第１及び第２のスイッチ部と第２の作動条件制約型スイッチの第１,第２の永久磁石とが夫々対向する関係となる構成としたことを特徴とする作動条件制約型スイッチ装置。
【請求項２０】
請求項１７記載の作動条件制約型スイッチ装置において、
第１の作動条件制約型スイッチは、
スイッチ部が、第１のスイッチ部よりなり、
永久磁石は、第１のスイッチ部の両側に、第１の永久磁石と第２の永久磁石とを有する構成であり、
第２の作動条件制約型スイッチは、
スイッチ部が、第１及び第２のスイッチ部が電気的には導体であって磁気的には非磁性体である接続部材でもって直列に接続されている構成であり、
永久磁石は、第１及び第２のスイッチ部の間に配置された第１の永久磁石よりなる構成であり、
第１の作動条件制約型スイッチと第２の作動条件制約型スイッチとは、第１の作動条件制約型スイッチの第１,第２の永久磁石と第２の作動条件制約型スイッチの第１及び第２のスイッチ部とが夫々対向し、第１の作動条件制約型スイッチの第１のスイッチ部と第２の作動条件制約型スイッチの第１の永久磁石とが対向する関係となる構成としたことを特徴とする作動条件制約型スイッチ装置。
【請求項２１】
請求項１７記載の作動条件制約型スイッチ装置において、
第１の作動条件制約型スイッチは、
スイッチ部が、第１のスイッチ部よりなり、
永久磁石は、第１のスイッチ部の片側に、第１の永久磁石と第２の永久磁石とを有する構成であり、
第２の作動条件制約型スイッチは、
永久磁石は、第１の永久磁石よりなり、
スイッチ部が、第１の永久磁石の片側に、第１及び第２のスイッチ部が電気的には導体であって磁気的には非磁性体である接続部材でもって直列に接続されている構成であり、
第１の作動条件制約型スイッチと第２の作動条件制約型スイッチとは、第１の作動条件制約型スイッチの第１,第２の永久磁石と第２の作動条件制約型スイッチの第１及び第２のスイッチ部とが夫々対向し、第１の作動条件制約型スイッチの第１のスイッチ部と第２の作動条件制約型スイッチの第１の永久磁石とが対向する関係となる構成としたことを特徴とする作動条件制約型スイッチ装置。
【請求項２２】
請求項２１記載の作動条件制約型スイッチ装置において、
第１の作動条件制約型スイッチは、
第１のスイッチ部の端子が該第１のスイッチ部を支持するモールドベースの背面側に設けてある構成であり、
第２の作動条件制約型スイッチは、
第１のスイッチ部の端子部と第２のスイッチ部の端子部とが該第１、第２のスイッチ部を支持するモールドベースの背面側に設けてある構成であることを特徴とする作動条件制約型スイッチ装置。
【請求項２３】
電子機器本体と該電子機器本体に装着される装着体とよりなる電子機器において、
電子機器本体又は装着体のうち何れか一方に、請求項１乃至１１のうち何れか一項の作動条件制約型スイッチが組み込んであり、
他方に、請求項１２乃至１４のうち何れか一項の外部磁界発生ユニットが組み込んである構成としたことを特徴とする電子機器。
【請求項２４】
電子機器本体と該電子機器本体に装着される装着体とよりなる電子機器において、
該電子機器本体に、リード片よりなるスイッチ部と、永久磁石を有し、
該装着体に、リード片よりなるスイッチ部と、永久磁石とを有し、
該電子機器本体のスイッチ部及び永久磁石と、該装着体のスイッチ部及び永久磁石とは、該装着体が該電子機器本体に装着された状態で、電子機器本体の永久磁石と装着体のスイッチ部とが対向し、電子機器本体のスイッチ部が装着体の永久磁石と対向する関係となる構成としたことを特徴とする電子機器。
【請求項２５】
電子機器本体と該電子機器本体に装着される装着体とよりなる電子機器において、
電子機器本体又は装着体のうち何れか一方に、請求項１７乃至２２のうち何れか一項に記載の第１の作動条件制約型スイッチが組み込んであり、
他方に、請求項１７乃至２２のうち何れか一項に記載の第２の作動条件制約型スイッチが組み込んである構成としたことを特徴とする電子機器。
【発明の詳細な説明】
【０００１】
【発明の属する技術分野】
本発明は作動条件制約型スイッチ及び外部磁界発生ユニット及び作動条件制約型スイッチ装置及び電子機器に係り、特定の外部磁界が作用したことを認識して、通常の外部磁界では作動せず、特定の外部磁界が作用した条件でのみ作動する作動条件制約型スイッチ及び外部磁界発生ユニット及び作動条件制約型スイッチ装置及び電子機器に関する。
【０００２】
装置本体とこれに装着されて使用される被装着物とよりなる構成の装置においては、被装着物が装置本体に正しく装着されたことを認識する手段が必要となる場合がある。この認識手段の一つとして、スイッチを使用することが考えられる。この目的に合ったスイッチは、作動の条件が一つに制約されている、所謂、作動条件制約型であるスイッチとなる。この作動条件制約型スイッチを被装着物に組み込んだ場合では、被装着物が単独で取り扱われているときには、如何なる状況であっても作動しないこと、被装着物が装置本体に正しく装着された場合には確実に作動する構成であることが必要である。
【０００３】
【従来の技術】
図１に示すリード片を用いたスイッチ１０を作動条件制約型スイッチとして使用することが考えられる。
【０００４】
スイッチ１０は、対をなすリード片１１，１２を有する構成であり、永久磁石１３によって外部磁界を作用された場合に、リード片１１，１２が磁力によって吸着されて二点鎖線で示すように接触されて、閉じた状態となる。
【０００５】
【発明が解決しようとする課題】
このスイッチ１０の場合にあっては、リード片１１，１２が接触するために作用される外部磁界は一つに限定されるものではなく、外部磁界が通常に作用されるとリード片１１，１２が接触してしまう。例えば、永久磁石１３がＮ極とＳ極とが図１の状態とは逆であっても、リード片１１，１２は接触してしまう。このため、上記のスイッチ１０を作動条件制約型スイッチとして使用するには問題があった。
【０００６】
そこで、本発明は、上記課題を解決した作動条件制約型スイッチ及び外部磁界発生ユニット及び作動条件制約型スイッチ装置及び電子機器を提供することを目的とする。
【０００７】
【課題を解決するための手段】
請求項１の発明は、外部から磁界を作用されて作動するスイッチ部を複数有し、該複数のスイッチ部が直列に接続されており、各スイッチ部に外部磁界が個別に且つ同時に作用した場合にのみ、全部のスイッチ部が作動する構成の作動条件制約型スイッチにおいて、
細長い形状のベース上に、複数のスイッチ部が、電気的には導体であって磁気的には非磁性体である接続部材でもって直列に接続されて、直線上に整列しており、
前記各スイッチ部が、前記ベース上に固定された一対のリード片よりなる構成であり、
全体がカバーによって覆われており、
両端に実装用の端子部を有する構成としたものである。
【０００８】
作動条件を各スイッチ部に外部磁界が個別に且つ同時に作用した場合に制約されたものであって、小型に構成されたものとなり、例えば、磁界を発生する永久磁石の配置を認識する機能及びこの永久磁石の配置を認証する機能を有し、セキュリティが必要とされる場所に適用して効果を発揮することが出来る。
【００１１】
請求２の発明は、請求項１記載のスイッチにおいて、上記の各スイッチ部は、そのリード片に磁束が出入りする位置を定める磁極片が設けてある構成としたものである。
【００１２】
作動条件に、磁束が磁極片に丁度入ることが加わる。また、磁束が磁極片から出入りすることにより、外部磁界がスイッチ部の作動に有効に利用される。
【００１３】
請求項３の発明は、
細長い形状のベースと、
該ベース上に対をなすように固定されたリード片よりなるスイッチ部と、
該ベース上に、該スイッチ部に対向して設けてあり、対をなすリード片のうち一つのリード片の先端を磁気吸引させて他方のリード片から離間した位置に保持させる継鉄・永久磁石組立体とよりなり、
上記一つのリード片の先端にそれまでとは逆の磁極を出現させる外部磁界が作用した場合にのみ、上記スイッチ部のリード片同士が接触する構成としたものである。
【００１４】
作動条件を、一つのリード片の先端にそれまでとは逆の磁極を出現させる外部磁界が作用した場合に制約することが出来る。
【００１５】
継鉄・永久磁石組立体は、リード片の先端を磁気吸引させており、衝撃が作用してもリード片が変位しないようにする。
【００１６】
請求項４の発明は、請求項４記載のスイッチにおいて、上記のスイッチ部は、その各リード片に、磁束が出入りする位置を定める磁極片が設けた構成としたものである。
【００１７】
作動条件に、磁束が磁極片に丁度入ることが加わる。また、磁束が磁極片から出入りすることにより、外部磁界がスイッチ部の作動に有効に利用される。
【００１８】
請求項５の発明は、外部から磁界を作用されて作動するスイッチ部を複数有し、該複数のスイッチ部が直列に接続されており、各スイッチ部に外部磁界が個別に且つ同時に作用した場合にのみ、全部のスイッチ部が作動する構成の作動条件制約型スイッチにおいて、細長い形状のベース上に、複数のスイッチ部が、電気的には導体であって磁気的には非磁性体である接続部材でもって直列に接続されて、直線上に整列しており、且つ、前記ベース上に、各スイッチ部に対向して設けてあり、対をなすリード片のうち一つのリード片の先端を磁気吸引させて他方のリード片から離間した位置に保持させる複数の継鉄・永久磁石組立体を有する構成であり、各スイッチ部に、上記一つのリード片の先端にそれまでとは逆の磁極が現れるように外部磁界が個別に且つ同時に作用した場合にのみ、全部のスイッチ部が作動する構成としたものである。
【００１９】
作動条件を、磁束が磁極片を通って、一つのリード片の先端にそれまでとは逆の磁極を出現させる外部磁界が、各スイッチ部に個別に且つ同時に作用した場合に作用した場合に制約することが出来る。
【００２０】
継鉄・永久磁石組立体は、リード片の先端を磁気吸引させており、衝撃が作用してもリード片が変位しないようにする。
【００２１】
請求項６の発明は、請求項５記載のスイッチにおいて、上記複数の継鉄・永久磁石組立体は、全部のスイッチ部についてその一つのリード片の先端に対向する磁極が同じである構成としたものである。
【００２２】
作動条件を、全部スイッチ部に作用する外部磁界が同じ向きである場合に制約することが出来る。
【００２３】
請求項７の発明は、請求項５記載のスイッチにおいて、上記複数の継鉄・永久磁石組立体は、スイッチ部毎にその一つのリード片の先端に対向する磁極が異なる構成としたものである。
【００２４】
作動条件を、スイッチ部毎に、外部磁界が異なる向きである場合に制約することが出来る。
【００２５】
請求項８の発明は、一対のリード片よりなる第１及び第２のスイッチ部が、電気的には導体であって磁気的には非磁性体である接続部材でもって直列に接続されてモールドベース本体上に配置してあり、該モールドベース本体の両端に端子部材を有する構成であり、各スイッチ部に所定の外部磁界が個別に且つ同時に作用した場合にのみ、第１及び第２のスイッチ部が作動する構成である作動条件制約型スイッチであって、
上記接続部材及び上記端子部材は、厚さが異なり、モールドベース本体内に埋め込まれており、上記リード片の基部が上記接続部材及び上記端子部材に固定してある構成としたものである。
【００２６】
接続部材と端子部材との厚さの差が、スイッチ部の隙間の寸法を決定する。よって、スイッチ部の隙間の寸法が精度良く定まる。
【００２７】
請求項９の発明は、請求項８記載の作動条件制約型スイッチにおいて、
上記接続部材及び上記端子部材は、モールドベース本体内にインサート成形された厚さが相違する部分を有する一つの板部材のうちの別々の部分であって厚さが異なる別々の部分よりなる構成としたものである。
【００２８】
厚さが相違する接続部材と端子部材とを、安定して得ることが出来る。よって、量産において、スイッチ部の隙間の寸法が精度良く定まる。
【００２９】
請求項１０の発明は、一対のリード片よりなる第１及び第２のスイッチ部が、電気的には導体であって磁気的には非磁性体である接続部材でもって直列に接続されており、両端に端子部材を有する構成であり、各スイッチ部に所定の外部磁界が個別に且つ同時に作用した場合にのみ、第１及び第２のスイッチ部が作動する構成である作動条件制約型スイッチであって、
インサートモールドベース上に上記第１及び第２のスイッチ部を有するスイッチ組立体と、
該スイッチ組立体を覆うカバーとよりなり、
該カバーは、所定の厚さの天板部を有する構成としたものである。
【００３０】
天板部の厚さによって、第１,第２のスイッチ部が作動する外部磁界の強さを決めることが可能となる。
【００３１】
請求項１１の発明は、一対のリード片よりなる第１及び第２のスイッチ部が、電気的には導体であって磁気的には非磁性体である接続部材でもって直列に接続されており、両端に端子部材を有する構成であり、各スイッチ部に所定の外部磁界が個別に且つ同時に作用した場合にのみ、第１及び第２のスイッチ部が作動する構成である作動条件制約型スイッチであって、
上記第１スイッチ部と第２のスイッチ部は、その長手方向に対して直交する方向にずれている構成としたものである。
【００３２】
第１スイッチ部と第２のスイッチ部とがずれないで整列している構成に比べて、接続部材の個所における第１スイッチ部と第２のスイッチ部との間の磁気抵抗が高くなり、第１スイッチ部と第２のスイッチ部との間の独立性が高くなる。
【００３３】
請求項１２の発明は、リード片よりなる第１及び第２のスイッチ部が、電気的には導体であって磁気的には非磁性体である接続部材でもって直列に接続されている構成である作動条件制約型スイッチの各スイッチ部に外部磁界を作用させる外部磁界発生ユニットであって、
上記第１のスイッチ部に作用させる外部磁界を発生する第１の永久磁石及び上記第２のスイッチ部に作用させる外部磁界を発生する第２の永久磁石を、その磁極の並びの方向をリード片の長手方向に対して垂直の方向に定めた構成としたものである。
【００３４】
磁極の並びの方向がリード片の長手方向に対して垂直の方向である場合に比べて、第１及び第２の永久磁石の間での磁気的干渉が起こり難く、第１及び第２の永久磁石のサイズを小さく出来、よって、外部磁界発生ユニットを小型に出来る。
【００３５】
請求項１３の発明は、リード片よりなる第１及び第２のスイッチ部が、電気的には導体であって磁気的には非磁性体である接続部材でもって直列に接続されている構成である作動条件制約型スイッチの各スイッチ部に外部磁界を作用させる外部磁界発生ユニットであって、
上記第１のスイッチ部に作用させる外部磁界を発生する第１の永久磁石及び上記第２のスイッチ部に作用させる外部磁界を発生する第２の永久磁石を、その磁極の並びの方向をリード片の長手方向に対して垂直の方向であって、且つ極性の配置が同じであるように定め、
且つ、上記第１の永久磁石と第２の永久磁石との間の位置に、その磁極の並びの方向をリード片の長手方向に対して垂直の方向であって、且つ極性の配置が上記の第１、第２の永久磁石の極性の配置とは逆である第３の永久磁石を有する構成としたものである。
【００３６】
磁極の並びの方向がリード片の長手方向に対して垂直の方向である場合に比べて、第１及び第２の永久磁石の間での磁気的干渉が起こり難く、第１及び第２の永久磁石のサイズを小さく出来、よって、外部磁界発生ユニットを小型に出来る。また、第３の永久磁石を有することによって、磁束の経路が短くなって、磁束が第１及び第２のスイッチ部に効率良く作用するようになる。
【００３７】
請求項１４の発明は、リード片よりなる第１及び第２のスイッチ部が、電気的には導体であって磁気的には非磁性体である接続部材でもって直列に接続されている構成である作動条件制約型スイッチの各スイッチ部に外部磁界を作用させる外部磁界発生ユニットであって、
上記第１のスイッチ部に対向する部分及び上記第２のスイッチ部に対向する部分が同じ磁極であり、上記第１のスイッチ部と第２のスイッチ部との間の位置に対向する部分が上記の磁極とは異なる磁極である単一の永久磁石よりなる構成としたものである。
【００３８】
単一の永久磁石よりなるため、外部磁界発生ユニットを小型に出来る。
【００３９】
請求項１５の発明は、請求項１乃至１１のうち何れか一項の作動条件制約型スイッチと、
請求項１２乃至１４のうち何れか一項の外部磁界発生ユニットとからなる構成としたものである。
【００４０】
小型の作動条件制約型スイッチ装置を実現出来る。
【００４１】
請求項１６の発明は、一対のリード片よりなる第１及び第２のスイッチ部が、電気的には導体であって磁気的には非磁性体である接続部材でもって直列に接続されており、両端に端子部材を有する構成であり、且つ、上記第１のスイッチ部と第２のスイッチ部との間に、磁極の並びの方向が第１及び第２のスイッチ部の整列方向に垂直である永久磁石を有する構成である作動条件制約型スイッチと、
上記第１のスイッチ部に作用させる外部磁界を発生する第１の永久磁石及び上記第２のスイッチ部に作用させる外部磁界を発生する第２の永久磁石を、その磁極の並びの方向をリード片の長手方向に対して垂直の方向に定めた構成である外部磁界発生ユニットとからなる構成としたものである。
【００４２】
小型の作動条件制約型スイッチ装置を実現出来る。また、第１の永久磁石の極性の配置及び第２の永久磁石の極性の配置が作動条件制約型スイッチ内に組み込まれた永久磁石の磁極によって定まるようになり、よって、作動条件をより制約することが可能となる。
【００４３】
請求項１７の発明は、第１の作動条件制約型スイッチと第２の作動条件制約型スイッチとよりなる作動条件制約型スイッチ装置であって、
第１の作動条件制約型スイッチは、リード片よりなるスイッチ部と、永久磁石とを有し、
第２の作動条件制約型スイッチは、リード片よりなるスイッチ部と、永久磁石とを有し、
第１の作動条件制約型スイッチと第２の作動条件制約型スイッチとは、第１の作動条件制約型スイッチの永久磁石と第２の作動条件制約型スイッチのスイッチ部とが対向し、第１の作動条件制約型スイッチのスイッチ部と第２の作動条件制約型スイッチの永久磁石とが対向する関係となる構成としたものである。
【００４４】
第１の作動条件制約型スイッチは、接近した対象物が第２の作動条件制約型スイッチであるか否かを認識する。第２の作動条件制約型スイッチは、接近した対象物が第１の作動条件制約型スイッチであるか否かを認識する。即ち、第１の作動条件制約型スイッチと第２の作動条件制約型スイッチとは相互に認証する機能を有する。
【００４５】
請求項１８の発明は、請求項１７記載の作動条件制約型スイッチ装置において、第１の作動条件制約型スイッチ及び第２の作動条件制約型スイッチが同じものよりなる構成としたものである。
【００４６】
同じ構成の作動条件制約型スイッチを製作するだけでよく、二種類の作動条件制約型スイッチを製作する場合に比べて、安価となる。
【００４７】
請求項１９の発明は、請求項１７記載の作動条件制約型スイッチ装置において、
第１の作動条件制約型スイッチは、
スイッチ部が、第１及び第２のスイッチ部が電気的には導体であって磁気的には非磁性体である接続部材でもって直列に接続されている構成であり、
永久磁石は、第１の永久磁石と第２の永久磁石とを有する構成であり、
第２の作動条件制約型スイッチは、
スイッチ部が、第１及び第２のスイッチ部が電気的には導体であって磁気的には非磁性体である接続部材でもって直列に接続されている構成であり、
永久磁石は、第１の永久磁石と第２の永久磁石とを有する構成であり、
第１の作動条件制約型スイッチと第２の作動条件制約型スイッチとは、第１の作動条件制約型スイッチの第１,第２の永久磁石と第２の作動条件制約型スイッチの第１及び第２のスイッチ部とが夫々対向し、第１の作動条件制約型スイッチの第１及び第２のスイッチ部と第２の作動条件制約型スイッチの第１,第２の永久磁石とが夫々対向する関係となる構成としたものである。
【００４８】
第１の作動条件制約型スイッチは、接近した対象物が第２の作動条件制約型スイッチであるか否かを認識する。第２の作動条件制約型スイッチは、接近した対象物が第１の作動条件制約型スイッチであるか否かを認識する。即ち、第１の作動条件制約型スイッチと第２の作動条件制約型スイッチとは相互に認証する機能を有する。
【００４９】
請求項２０の発明は、請求項１７記載の作動条件制約型スイッチ装置において、
第１の作動条件制約型スイッチは、
スイッチ部が、第１のスイッチ部よりなり、
永久磁石は、第１のスイッチ部の両側に、第１の永久磁石と第２の永久磁石とを有する構成であり、
第２の作動条件制約型スイッチは、
スイッチ部が、第１及び第２のスイッチ部が電気的には導体であって磁気的には非磁性体である接続部材でもって直列に接続されている構成であり、
永久磁石は、第１及び第２のスイッチ部の間に配置された第１の永久磁石よりなる構成であり、
第１の作動条件制約型スイッチと第２の作動条件制約型スイッチとは、第１の作動条件制約型スイッチの第１,第２の永久磁石と第２の作動条件制約型スイッチの第１及び第２のスイッチ部とが夫々対向し、第１の作動条件制約型スイッチの第１のスイッチ部と第２の作動条件制約型スイッチの第１の永久磁石とが対向する関係となる構成としたものである。
【００５０】
第１の作動条件制約型スイッチは、接近した対象物が第２の作動条件制約型スイッチであるか否かを認識する。第２の作動条件制約型スイッチは、接近した対象物が第１の作動条件制約型スイッチであるか否かを認識する。即ち、第１の作動条件制約型スイッチと第２の作動条件制約型スイッチとは相互に認証する機能を有する。
【００５１】
請求項１９の発明に比べて小型である。また、第１、第２の作動条件制約型スイッチは、共に、左右対称の構造であるため、第１、第２の作動条件制約型スイッチの取り付けの向きを決める必要がなく、向きの間違いが起きず、第１、第２の作動条件制約型スイッチの電子装置等への取り付けがし易い。
【００５２】
請求項２１の発明は、請求項１７記載の作動条件制約型スイッチ装置において、
第１の作動条件制約型スイッチは、
スイッチ部が、第１のスイッチ部よりなり、
永久磁石は、第１のスイッチ部の片側に、第１の永久磁石と第２の永久磁石とを有する構成であり、
第２の作動条件制約型スイッチは、
永久磁石は、第１の永久磁石よりなり、
スイッチ部が、第１の永久磁石の片側に、第１及び第２のスイッチ部が電気的には導体であって磁気的には非磁性体である接続部材でもって直列に接続されている構成であり、
第１の作動条件制約型スイッチと第２の作動条件制約型スイッチとは、第１の作動条件制約型スイッチの第１,第２の永久磁石と第２の作動条件制約型スイッチの第１及び第２のスイッチ部とが夫々対向し、第１の作動条件制約型スイッチの第１のスイッチ部と第２の作動条件制約型スイッチの第１の永久磁石とが対向する関係となる構成としたものである。
【００５３】
第１の作動条件制約型スイッチは、接近した対象物が第２の作動条件制約型スイッチであるか否かを認識する。第２の作動条件制約型スイッチは、接近した対象物が第１の作動条件制約型スイッチであるか否かを認識する。即ち、第１の作動条件制約型スイッチと第２の作動条件制約型スイッチとは相互に認証する機能を有する。請求項２０の発明に比べて小型である。
【００５４】
請求項２２の発明は、請求項２１記載の作動条件制約型スイッチ装置において、
第１の作動条件制約型スイッチは、
第１のスイッチ部の端子が該第１のスイッチ部を支持するモールドベースの背面側に設けてある構成であり、
第２の作動条件制約型スイッチは、
第１のスイッチ部の端子部と第２のスイッチ部の端子部とが該第１、第２のスイッチ部を支持するモールドベースの背面側に設けてある構成である。
【００５５】
スイッチ部の端子部がモールドベースの背面側に設けてあることによって、スイッチ部の端子部が永久磁石のサイズを制限しないようになり、永久磁石のサイズは請求項１９〜２２の発明の作動条件制約型スイッチ装置における永久磁石より大きくなる。よって、スイッチ部の動作の確実性が向上する。
【００５６】
請求項２３の発明は、電子機器本体と該電子機器本体に装着される装着体とよりなる電子機器において、
電子機器本体又は装着体のうち何れか一方に、請求項１乃至１１のうち何れか一項の作動条件制約型スイッチが組み込んであり、
他方に、請求項１２乃至１４のうち何れか一項の外部磁界発生ユニットが組み込んである構成としたものである。
【００５７】
作動条件制約型スイッチが装着体に組み込んである構成にあっては、装着体は、これが電子機器本体に装着された場合にのみ正常に動作するようになる。
【００５８】
作動条件制約型スイッチが電子機器本体に組み込んである構成にあっては、電子機器本体は、これに装着体が装着された場合にのみ正常に動作するようになる。
【００５９】
請求項２４の発明は、電子機器本体と該電子機器本体に装着される装着体とよりなる電子機器において、
該電子機器本体に、リード片よりなるスイッチ部と、永久磁石を有し、
該装着体に、リード片よりなるスイッチ部と、永久磁石とを有し、
該電子機器本体のスイッチ部及び永久磁石と、該装着体のスイッチ部及び永久磁石とは、該装着体が該電子機器本体に装着された状態で、電子機器本体の永久磁石と装着体のスイッチ部とが対向し、電子機器本体のスイッチ部が装着体の永久磁石と対向する関係となる構成としたものである。
【００６０】
装着体は、これが電子機器本体に装着されたことを認識して、この場合にのみ正常に動作するようになる。
【００６１】
電子機器本体は、これに装着体が装着されたことを認識して、この場合にのみ正常に動作するようになる。電子機器本体は、海賊版である装着体が装着された場合には、動作しないようになる。
【００６２】
請求項２５の発明は、電子機器本体と該電子機器本体に装着される装着体とよりなる電子機器において、
電子機器本体又は装着体のうち何れか一方に、請求項１７乃至２２のうち何れか一項に記載の第１の作動条件制約型スイッチが組み込んであり、
他方に、請求項１７乃至２２のうち何れか一項に記載の第２の作動条件制約型スイッチが組み込んである構成としたものである。
【００６３】
装着体は、これが電子機器本体に装着されたことを認識して、この場合にのみ正常に動作するようになる。
【００６４】
電子機器本体は、これに装着体が装着されたことを認識して、この場合にのみ正常に動作するようになる。電子機器本体は、海賊版である装着体が装着された場合には、動作しないようになる。
【００６５】
【発明の実施の形態】
［第１実施例］
図２及び図３は本発明の第１実施例の作動条件制約型スイッチ２０を示す。図４（Ａ）、（Ｂ）は作動条件制約型スイッチ２０の概略構成を示す。本実施例の作動条件制約型スイッチ２０及び他の実施例の作動条件制約型スイッチは、共に、リードスイッチを基本とする構成であり、近接スイッチの一種である。
【００６６】
図２、図３及び図４（Ａ）に示すように、作動条件制約型スイッチ２０は、ベース２３上に、第１のスイッチ部２１と第２のスイッチ部２２とが、一つの直線２４上に整列して、且つ、直線２４の方向に寸法Ｌ１離れて配置してあり、且つ、電気的には導体であり磁気的には非磁性体である接続部材２５を間に介して直列に接続されており、全体がカバー２６によって覆われており、両端に実装用の端子部２７ｂ、３０ｂを有する構成である。この作動条件制約型スイッチ２０は、作動条件が、永久磁石が２つであるということに制約されているものである。
【００６７】
なお、第１のスイッチ部２１と第２のスイッチ部２２とは、電気的に直列に接続されていれば、直線上に構成しなくてもよい。また、永久磁石は、電磁石で構成してもよい。
【００６８】
ベース２３及びカバー２６は共に電気絶縁性である。ベース２３は細長い形状を有し、両端の近くに凹部２３ａ，２３ｂを有する。
【００６９】
第１のスイッチ部２１は、クランク形状のリード片２７と略直線状のリード片２８とよりなる。リード片２７は、折り曲がり部分２７ａがベース２３に固定してあり、ベース２３の外側に突き出している端子部２７ｂと、凹部２３ａ上に突き出しているリード部２７ｃを有する。リード片２８は、基部２８ａをベース２３に固定してあり、リード部２８ｂが凹部２３ａ上に突き出しており、リード部２７ｃの上方に位置している。リード部２７ｃの先端のコンタクト部２７ｄとリード部２８ｂの先端のコンタクト部２８ｃとの間には、隙間２９が存在している。
【００７０】
第２のスイッチ部２２は、第１のスイッチ部２１と接続部材２５に関して対称である構成であり、クランク形状のリード片３０と略直線状のリード片３１とよりなる。端子部３１ｂを有し、コンタクト部３０ｄとコンタクト部３１ｃとの間には、隙間３２が存在している。
【００７１】
上記のリード片２７、２８，３０、３１は、共に、例えばパーマロイ製であり、各コンタクト部２７ｄ、２８ｃ，３０ｄ、３１ｃには金メッキが施されている。この構成は、後に説明する他の実施例についても同じである。
【００７２】
接続部材２５は例えば銅片であり、接続部材２５とリード片２８の基部２８ａとの間及び接続部材２５とリード片３１の基部３１ａは、符号３３示すようにレーザ溶接されている。銅は、電気抵抗が低く、且つ、非磁性体であるため、リード片２８、３１と比べると、磁気抵抗は非常に高い。よって、リード片２８とリード片３１との間には、磁気ギャップ３４が存在することになる。なお、上記の銅に代えて、アルミニウム等の非磁性の金属、或いは、カーボン等も使用可能である。
【００７３】
上記の作動条件制約型スイッチ２０は、端子部２７ｂ、３１ｂを、プリント基板４０上の端子部に半田付けされて実装してあり、例えば電源回路等の所定の回路内に組み込まれる。
【００７４】
次に、上記の作動条件制約型スイッチ２０の作動について説明する。
【００７５】
通常は、図２、図３及び図４（Ａ）に示すように、第１のスイッチ部２１及び第２のスイッチ部２２が共にオフの状態であり、スイッチ２０はオフの状態であり、端子部２７ｂと端子部３１ｂとの間は非導通の状態である。
【００７６】
スイッチ２０は、図３に二点鎖線で示し図４（Ｂ）に実線で示すように、第１の永久磁石４１が第１のスイッチ部２１に接近し、且つ、第２の永久磁石４２が第２のスイッチ部２２に接近した条件、即ち、外部からの磁界が第１のスイッチ部２１と第２のスイッチ部２２とに同時に作用したときにのみ、作動されて、端子部２７ｂと端子部３１ｂとの間が導通する。
【００７７】
即ち、第１の永久磁石４１が第１のスイッチ部２１に接近すると、第１の永久磁石４１が発生している磁界が第１のスイッチ部２１に作用して、コンタクト部２７ｄとコンタクト部２８ｃとが互いに異なる磁極となり、磁気的吸引力が発生し、第１のスイッチ部２１が作動され、リード部２８ｂが撓まされてコンタクト部２７ｄとコンタクト部２８ｃとが接触する。
【００７８】
同じく、第２の永久磁石４２が第２のスイッチ部２２に接近すると、第２の永久磁石４２が発生している磁界が第２のスイッチ部２２に作用して、コンタクト部３０ｃとコンタクト部３１ｂとが互いに異なる磁極となり、磁気的吸引力が発生し、第２のスイッチ部２２が作動され、リード部３１ｂが撓まされてコンタクト部３０ｃとコンタクト部３１ｂとが接触する。
【００７９】
これによって、スイッチ２０は作動されてオンとなり、端子部２７ｂと端子部３１ｂとの間が導通する。
【００８０】
第１、第２の永久磁石４１、４２がスイッチ２０から離れると、第１、第２のスイッチ部２１、２２がオフとなって、スイッチ２０はオフとなる。
【００８１】
ここで、例えば、図４（Ａ）に二点鎖線で示すように、第１、第２のスイッチ部２１、２２をカバーする大きいサイズの永久磁石４５を接近させた場合を考えてみる。永久磁石４５が発生している磁界が第１、第２のスイッチ部２１、２２に作用する。しかし、リード片２８とリード片３１との間には磁気ギャップ３４が存在することによって、リード片２７、２８、３１，３０には磁束が流れず、リード片２７、２８、３１，３０の先端には磁極が現れず、スイッチ部２１，２２はオフの状態を維持する。永久磁石４５が磁力の強いものであっても、同じであり、スイッチ部２１，２２はオフの状態を維持する。よって、サイズが大きく且つ磁力の強い永久磁石４５を接近させた場合にも、スイッチ２０は作動せずにオフのままである。
【００８２】
一つの永久磁石が第１のスイッチ部２１に接近した場合には、第１のスイッチ部２１がオンとなるけれども、第２のスイッチ部２２はオフのままであり、スイッチ２０はオフのままである。一つの永久磁石が第２のスイッチ部２２に接近した場合にも、上記と同様に、第２のスイッチ部２２がオンとなるけれども、第１のスイッチ部２１はオフのままであり、スイッチ２０はオフのままである。
【００８３】
よって、スイッチ２０は、作動の条件が、図３及び図４（Ｂ）に示すように、第１のスイッチ部２１と第２のスイッチ部２２とが同時に永久磁石４１，４２に接近すること、換言すれば、外部からの磁界が第１のスイッチ部２１に作用し、これと同時に、別の外部からの磁界が第２のスイッチ部２２に作用すること、即ち、外部からの磁界が第１のスイッチ部２１と第２のスイッチ部２２とに個別に且つ同時に作用することに制約されているスイッチということになる。
【００８４】
なお、上記の作動の条件は、通常の状態では殆ど起きないことであり、スイッチ２０が偶然にオンとなってしまうことは起きない。
【００８５】
なお、上記のスイッチ２０は、永久磁石が第１のスイッチ部２１と第２のスイッチ部２２との配置に対応して配置されている場所に接近した場合に、スイッチ２０がオンとされることで、永久磁石の配置を認識する機能及び永久磁石の配置を認証する機能を有し、セキュリティが必要とされる場所に適用して効果を発揮する。
【００８６】
また、スイッチ部が３つ以上直列に並んでいる構成でもよい。
【００８７】
［第２実施例］
図５及び図６は本発明の第２実施例の作動条件制約型スイッチ２０Ａを示す。図７（Ａ）、（Ｂ）は作動条件制約型スイッチ２０Ａの概略構成を示す。
【００８８】
作動条件制約型スイッチ２０Ａは、図２、図３、図４に示す作動条件制約型スイッチ２０に、磁束が出入りする位置を定めるための磁極片５１〜５４を付加した構成である。磁極片５１〜５４は鉄片である。図５、図６及び図７（Ａ）、（Ｂ）中、図２、図３、図４に示す構成部分と同じ部分には同じ符号を付し、その説明は省略する。この作動条件制約型スイッチ２０Ａは、作動条件が、永久磁石が２つであるということ、及び、この２つの永久磁石の位置又はサイズが決まっているということに制約されているものである。
【００８９】
磁極片５１はリード片２７の折り曲がり部分２７ａに、磁極片５２はリード片２８の基部２８ａに、磁極片５３はリード片３０の折り曲がり部分３０ａに、磁極片５４はリード片３１の基部３１ａに、夫々固定してある。
【００９０】
カバー２６Ａは、磁極片５１〜５４に対応した開口２６Ａａを有する。磁極片５１〜５４はカバー２６Ａの開口２６Ａａに露出している。カバー２６Ａは磁気的に非磁性体である。また、磁極片５１〜５４はリード片２７、２８等のうちスイッチが作動するときに撓まみが発生しない場所に固定してあり、磁極片５１〜５４はカバー２６Ａに固定されていても、スイッチ部２１、２２の動作に影響を与えない。
【００９１】
上記のスイッチ２０Ａに外部から磁界を作用させる手段として、第１の永久磁石組立体４１Ａ及び第２の永久磁石組立体４２Ａが準備してある。第１の永久磁石組立体４１Ａは、永久磁石４１の両端に磁極片６０，６１を有する構成である。第２の永久磁石組立体４２Ａは、永久磁石４２の両端に磁極片６２，６３を有する構成である。磁極片６０，６１は、上記の磁極片５１、５２に対応する配置であり、磁極片６２，６３は、上記の磁極片５３、５４に対応する配置である。
【００９２】
永久磁石組立体４１，４２が夫々第１のスイッチ部２１と第２のスイッチ部２２とに同時に接近し、且つ、磁極片６０〜６３が夫々磁極片５１〜５４に丁度対向した場合に、第１のスイッチ部２１と第２のスイッチ部２２とが同時に作動されてオンとなって、スイッチ２０Ａは作動されてオンとなる。
【００９３】
このスイッチ２０Ａの作動条件は、図２及び図３に示すスイッチ２０の作動条件と比較すると、永久磁石が二つ必要であるという条件に、磁極片５１〜５２が磁極片６０〜６３に丁度対向するという位置の条件が加わっている関係にある。
【００９４】
また、スイッチ２０Ａは磁極片５１〜５４が露出している構成であるため、外部よりの磁束を効率良く拾う。よって、スイッチ２０Ａは前記のスイッチ２０に比べて、感度が高く、永久磁石４１，４２が磁力の弱いものであっても、作動する。
【００９５】
また、露出している磁極片５１〜５４が外部よりの磁束を効率良く拾う分、リード片２８，３１の厚みを厚くして撓みにくくしてもよい。このように構成した場合には、スイッチ２０Ａはノイズとしての外部磁束が作用した場合に、スイッチ部がオンする誤動作が起き難くなる。よって、スイッチ２０Ａはノイズに対して強いものとなる。
【００９６】
［第３実施例］
図８は本発明の第３実施例の作動条件制約型スイッチ７０を示す。図９（Ａ）乃至（Ｃ）はスイッチ７０の概略構成を示す。
【００９７】
この作動条件制約型スイッチ７０は、作動条件が、永久磁石が一つではあるけれども、その磁極の配置が特定の配置に制約されているものである。
【００９８】
図８及び図９（Ａ）に示すように、作動条件制約型スイッチ７０は、ベース７１上に、継鉄・永久磁石組立体７２とスイッチ部７３とが設けてあり、これらがカバー７４によって覆われており、両端に実装用の端子部７５ｃ，７６ｃを有する構成である。
【００９９】
スイッチ部７３は、クランク形状のリード片７５と、同じくクランク形状のリード片７６とよりなる。リード片７５、７６は折り曲がり部分をベース７１に固定してあり、水平のリード部７５ａの先端のコンタクト部７５ｂとこの下側のリード部７６ａの先端のコンタクト部７６ｂとが空隙部７７を置いて対向している。端子部７５ｃ、７６ｃが、ベース７１より外側に突き出ている。
【０１００】
継鉄・永久磁石組立体７２は、継鉄部材７７と永久磁石片７８とよりなる。継鉄部材７７は、細長い本体部７７ａと、この本体部７７ａの両端側の凸部７７ｂ，７７ｃとよりなる。永久磁石片７８は、上面がＮ極、下面がＳ極であり、本体部７７ａの略中央に固定してある。凸部７７ｂ及び凸部７７ｃは、共に、Ｓ極となっている。
【０１０１】
永久磁石片７８はコンタクト部７６ａの先端部と対向しており、凸部７７ｃはリード部７６ａの長手方向の中央部と対向している。凸部７７ｂはリード部７５ａの長手方向の中央部と対向している。
【０１０２】
次に、上記の作動条件制約型スイッチ７０の作動について説明する。
【０１０３】
通常の状態では、図８及び図９（Ａ）に示す状態にある。凸部７７ｂとリード部７５ａとの間の空隙部８０は磁気抵抗Ｒ１を有し、凸部７７ｃとリード部７６ａとの間の空隙部８１は磁気抵抗Ｒ２を有する。磁気抵抗Ｒ１と磁気抵抗Ｒ２とは、Ｒ１＞Ｒ２の関係にある。よって、継鉄・永久磁石組立体７２より発生している磁束は、主に空隙部８１を横切って流れ、リード部７６ａ内を流れて、符号φ１で示すように流れる。コンタクト部７６ｂはＳ極となり、永久磁石片７８に吸引されており、リード部７６ａは斜め下向きに撓んでいる。コンタクト部７６ｂは永久磁石片７８に吸着はしていず、コンタクト部７６ｂと永久磁石片７８との間には、空隙部８２が存在している。
【０１０４】
コンタクト部７５ｂとコンタクト部７６ｂとの間には空隙部７７が存在しており、スイッチ７０はオフの状態にある。
【０１０５】
スイッチ２０に、図９（Ｂ）に示すように、外部から磁界を作用させる手段としての永久磁石９０が図示の磁極の向き、即ち、Ｓ極がリード部７５ａに、Ｎ極がリード部７６ａに対向する向きで接近すると、永久磁石９０が発生している磁界がカバー７４を貫通してスイッチ部７３に作用し、磁束は、符号φ２で示すように、リード部７６ａ→空隙部７７→リード部７５ａを通って流れる。コンタクト部７６ｂはＮ極となり、コンタクト部７５ｂはＳ極となる。
【０１０６】
よって、コンタクト部７６ｂには、コンタクト部７５ｂに吸引される力に加えて永久磁石７８から反発される力が作用し、図９（Ｃ）に示すように、コンタクト部７６ｂがコンタクト部７５ｂに接触される。
【０１０７】
これによって、スイッチ７０は作動されてオンとなり、端子部２７ｂと端子部３１ｂとの間が導通する。また、磁束φ２の流れは、符号φ２ａで示すようになる。
【０１０８】
上記の永久磁石９０の磁極の向きが上記とは逆の向きである場合には、図１０に示すようになる。永久磁石９０Ａは、Ｓ極がリード部７６ａに、Ｎ極がリード部７５ａに対向する。磁束は符号φ３で示すように流れ、コンタクト部７６ｂはＳ極となり、永久磁石７８に吸着され、スイッチ７０は作動せず、オフの状態のままである。
【０１０９】
よって、上記のスイッチ７０は、作動の条件が、永久磁石の数は一つではあるけれども、その磁極の向きが一つに制限されているスイッチということになる。
【０１１０】
また、上記のスイッチ７０は、以下の特長も有する。
【０１１１】
１．衝撃に強い。
【０１１２】
図９（Ａ）に示すように、スイッチ７０がオフの状態において、継鉄・永久磁石組立体７２が発生している磁束が符号φ１で示すように流れているため、コンタクト部７６ｂには永久磁石片７８に吸引される力が作用している。このため、スイッチ７０が実装してある物品を床に落としたりしてスイッチ７０に強い外部衝撃が作用した場合でも、コンタクト部７６ｂは図８及び図９（Ａ）に示す位置に保たれ、衝撃によって上方に変位することはない。よって、スイッチ部７３はオフの状態を維持し、スイッチ７０は、瞬間的といえどもオンとなることは起きない。
【０１１３】
２．作動の信頼性が高く、永久磁石９０は磁力の弱いもので足りる。
【０１１４】
図９（Ｂ）に示すように、スイッチ７０に永久磁石９０が接近したときに、コンタクト部７６ｂはＮ極となって、コンタクト部７５ｂに吸引される力に加えて永久磁石７８から反発される力が作用する。
【０１１５】
図９（Ｃ）に示すように、コンタクト部７６ｂとコンタクト部７５ｂとが接触すると、リード部７６ａ及びリード部７５ａが若干撓むことによって、空隙部８１は若干拡がって空隙部８１ａとなり、磁気抵抗Ｒ１は増えてＲ１ａとなり、空隙部８０は若干狭まって空隙部８０ａとなり、磁気抵抗Ｒ２は減ってＲ２ａとなり、磁気抵抗Ｒ１ａと磁気抵抗Ｒ２ａとは、今までとは逆転して、Ｒ１ａ＜Ｒ２ａの関係となる。継鉄・永久磁石組立体７２より発生している磁束は、今度は空隙部８０ａを横切って、符号φ１ａで示すように流れて、コンタクト部７６ｂとコンタクト部７５ｂとが吸着する力を発生する。
【０１１６】
上記のように継鉄・永久磁石組立体７２は、コンタクト部７６ｂをコンタクト部７５ｂに接触させる動作及びコンタクト部７５ｂとコンタクト部７６ｂとを接触した状態に保つ動作を補助する役割を有する。
【０１１７】
よって、コンタクト部７６ｂがコンタクト部７５ｂに接触する動作は、吸引力にのみ依存している場合に比べて、確実に行われ、よって、作動の信頼性が高く、永久磁石９０は磁力の弱いものでも足りる。
【０１１８】
［第４実施例］
図１１は本発明の第４実施例の作動条件制約型スイッチ７０Ａを示す。図１２（Ａ）、（Ｂ）は作動条件制約型スイッチ７０Ａの概略構成を示す。
【０１１９】
この作動条件制約型スイッチ７０Ａは、作動条件が、永久磁石が一つではあるけれども、その磁極の配置が特定されたものであること、更に、永久磁石のサイズが決まっているということに制約されているものである。
【０１２０】
作動条件制約型スイッチ７０Ａは、図８に示す作動条件制約型スイッチ７０に、磁極片１００，１０１を付加した構成である。図１１及び図１２（Ａ）、（Ｂ）中、図８、図９に示す構成部分と同じ部分には同じ符号を付し、その説明は省略する。
【０１２１】
磁極片１００はリード部７５ａの基部側の位置に固定してあり、上方に突き出ている。磁極片１０１はリード部７６ａの基部側の位置に固定してあり、上方に突き出ている。
【０１２２】
カバー７４Ａは、磁極片１００，１０１に対応した開口７４Ａａを有する。磁極片１００，１０１はカバー７４Ａの開口７４Ａａに露出している。カバー７４Ａは磁気的に非磁性体である。
【０１２３】
上記のスイッチ２０Ａに外部から磁界を作用させる手段として、永久磁石組立体９０Ａが準備してある。この永久磁石組立体９０Ａは、永久磁石９０の両端に磁極片１１０，１１１を有する構成である。磁極片１１０，１１１は、上記の磁極片１００、１０１に対応する配置である。
【０１２４】
永久磁石組立体９０Ａがスイッチ２０Ａに接近し、磁極片１１０，１１１が磁極片１００、１０１に丁度対向した状態となると、図１２（Ｂ）に示すように、コンタクト部７６ｂがコンタクト部７５ｂと接触され、スイッチ７０Ａは作動されてオンとなる。
【０１２５】
このスイッチ７０Ａの作動条件は、図８に示すスイッチ７０の作動条件と比べると、永久磁石の磁極の配置が特定のものであるいう条件に、磁極片１１０，１１１が磁極片１００、１０１に丁度対向するという位置の条件が加わっている関係にある。
【０１２６】
また、スイッチ７０Ａは磁極片１００、１０１が露出している構成であるため、外部よりの磁束を効率良く拾う。よって、スイッチ７０Ａは前記のスイッチ７０に比べて、感度が高く、永久磁石９０が磁力の弱いものであっても、正常に作動する。また、スイッチ７０Ａは、継鉄・永久磁石組立体７２を有することによって、衝撃を受けても誤動作しないという特長も有する。
【０１２７】
［第５実施例］
図１３は本発明の第５実施例の作動条件制約型スイッチ１２０を示す。図１４（Ａ）、（Ｂ）は作動条件制約型スイッチ１２０の概略構成を示す。
【０１２８】
この作動条件制約型スイッチ１２０は、図２に示す作動条件制約型スイッチ２０と似た構成であり、作動条件が、永久磁石が二つ必要であるということに加えて、この２つの永久磁石の極性の配置が特定の配置であること、しかも同じであるということに制約されているものである。
【０１２９】
図１３及び図１４（Ａ）に示すように、作動条件制約型スイッチ１２０は、ベース１２３上に、第１のスイッチ部１２１と第２のスイッチ部１２２とが、一つの直線上に整列して、且つ、直線の方向に寸法Ｌ１０離れて配置してあり、且つ、電気的には導体であり磁気的には非磁性体である接続部材１２５を間に介して直列に接続されており、且つ、ベース１２３上に継鉄・永久磁石組立体１３０，１３１が夫々第１、第２のスイッチ部１２１、１２２の下側に位置して第１、第２のスイッチ部１２１、１２２と対向して設けてあり、全体がカバー１２６によって覆われており、両端に実装用の端子部１２７ｂ、１３０ｂを有する構成である。
【０１３０】
第１のスイッチ部１２１、第２のスイッチ部１２２、接続部材１２５は、図２中の第１、第２のスイッチ部２１、２２、接続部材２５と対応する構成である。
【０１３１】
継鉄・永久磁石組立体１３０は、Ｌ字形状の継鉄部材１３５と永久磁石片１３６とよりなる。永久磁石片１３６は、上面がＮ極、下面がＳ極であり、継鉄部材１３５の凸部１３５ａはＳ極となっている。永久磁石片１３６及び凸部１３５ａが共にリード部１２８ｂに対向しており、リード部１２８ｂは、図９（Ａ）に示す場合と同じく、永久磁石片１３６側に磁気吸引されている。
【０１３２】
別の継鉄・永久磁石組立体１３１は、上記の継鉄・永久磁石組立体１３０と同じく、Ｌ字形状の継鉄部材１３７と永久磁石片１３８とよりなる。永久磁石片１３８は、上面がＮ極、下面がＳ極であり、継鉄部材１３７の凸部１３７ａはＳ極となっている。永久磁石片１３８及び凸部１３７ａが共にリード部１３０ｃに対向しており、リード部１３０ｃは、図９（Ａ）に示す場合と同じく、永久磁石片１３８側に磁気吸引されている。
【０１３３】
次に、上記の作動条件制約型スイッチ１２０の作動について説明する。
【０１３４】
通常の状態では、図１３及び図１４（Ａ）に示す状態にある。第１、第２のスイッチ部１２１、１２２は共にオフであり、スイッチ１２０はオフの状態にある。
【０１３５】
図１４（Ｂ）に示すように、永久磁石１４０，１４１が図示する同じ磁極の向き、即ち、図中、右端がＮ極、左端がＳ極である向きで、第１、第２のスイッチ部１２１、１２２に接近すると、永久磁石１４０が発生している磁界が第１のスイッチ部１２１に作用し、永久磁石１４１が発生している磁界が第２のスイッチ部１２２に作用する。第１のスイッチ部１２１について見ると、コンタクト部１２８ｂはＮ極となり、コンタクト部１２７ｂはＳ極となる。コンタクト部１２８ｂには、コンタクト部１２７ｂに吸引される力に加えて永久磁石１３６から反発される力が作用し、図１４（Ｃ）に示すように、コンタクト部１２８ｂとコンタクト部１２７ｂとが接触して、第１のスイッチ部１２１がオンとなる。第２のスイッチ部１２２について見ると、コンタクト部１３０ｂはＮ極となり、コンタクト部１３１ｂはＳ極となる。コンタクト部１３０ｂには、コンタクト部１３１ｂに吸引される力に加えて永久磁石１３８から反発される力が作用し、図１４（Ｃ）に示すように、コンタクト部１３０ｂとコンタクト部１３１ｂとが接触して、第２のスイッチ部１２２がオンとなる。よって、スイッチ１２０はオンとなる。
【０１３６】
永久磁石１４０，１４１がスイッチ１２０から離れると、第１、第２のスイッチ部１２１、１２２は共にオフとなり、スイッチ１２０はオフの状態となる。
【０１３７】
ここで、永久磁石１４０の磁極の向きが上記とは逆であり、図１４（Ｄ）に示すように、右端がＳ極、左端がＮ極である場合について説明する。永久磁石１４０Ａが発生している磁界によって、図１４（Ｄ）に示すように、コンタクト部１２８ｂはＳ極となり、コンタクト部１２７ｂはＮ極となる。コンタクト部１２８ｂは永久磁石１３６吸引され、コンタクト部１２７ｂはコンタクト部１２８ｂに対して反発され、第１のスイッチ部１２１はオフの状態のままであり、スイッチ１２０はオフの状態のままである。
【０１３８】
なお、前記の作動の条件は、通常の状態ではおよそ起きないことであり、スイッチ１２０が偶然にオンとなってしまうことは起きない。
【０１３９】
また、スイッチ１２０は、２つの永久磁石を認識することに加えて、２つの永久磁石の極性の配置が特定の配置であり、しかも同じであることを認識する機能及び認証する機能を有しており、図３に示すスイッチ２０に比べて、セキュリティが必要とされる場所に適用して更に効果を発揮する。
【０１４０】
また、継鉄・永久磁石組立体１３０、１３１が設けてあることによって、スイッチ１２０は耐衝撃性に優れている。
【０１４１】
［第６実施例］
図１５は本発明の第６実施例の作動条件制約型スイッチ１２０Ａを示す。図１６（Ａ）、（Ｂ）は作動条件制約型スイッチ１２０Ａの概略構成を示す。
【０１４２】
この作動条件制約型スイッチ１２０Ａは、図１３に示す作動条件制約型スイッチ１２０と似た構成であり、スイッチ１２０の作動条件とは、２つの永久磁石の極性の配置が互いに逆であることが相違するものである。即ち、スイッチ１２０Ａは、作動条件が、永久磁石が２つであるということ、及び、この２つの永久磁石の極性の配置が特定の配置であり且つ互いに逆であるということに制約されているものである。
【０１４３】
図１５及び図１６（Ａ）に示すように、作動条件制約型スイッチ１２０Ａは、図１３及び図１６（Ａ）に示す作動条件制約型スイッチ１２０とは、第２のスイッチ部１２２に対向する継鉄・永久磁石組立体が相違し、その他の部分は同じ構成であり、対応する部分には同じ符号を付し、その説明は省略する。
【０１４４】
第２のスイッチ部１２２に対向する継鉄・永久磁石組立体１３１Ａは、永久磁石片１３８Ａを有する。永久磁石片１３８Ａは、上面がＳ極、下面がＮ極であり、継鉄部材１３７の凸部１３７ａはＮ極となっている。
【０１４５】
図１６（Ｂ）に示すように、永久磁石１５０，１５１が図示する同じ磁極の向き、即ち、永久磁石１５０については、図中、右端がＮ極、左端がＳ極である向きで、永久磁石１５１については、図中、右端がＳ極、左端がＮ極である向きで、第１、第２のスイッチ部１２１、１２２に接近すると、第１のスイッチ部１２１は図１４（Ｂ）、（Ｃ）に示すと同じくオンとなる。第２のスイッチ部１２２について見ると、コンタクト部１３０ｂはＳ極となり、コンタクト部１３１ｂはＮ極となる。コンタクト部１３０ｂには、コンタクト部１３１ｂに吸引される力に加えて永久磁石１３８Ａから反発される力が作用し、図１６（Ｂ）に示すように、コンタクト部１３０ｂとコンタクト部１３１ｂとが接触して、第２のスイッチ部１２２がオンとなる。よって、スイッチ１２０はオンとなる。
【０１４６】
永久磁石１５０，１５１がスイッチ１２０Ａから離れると、第１、第２のスイッチ部１２１、１２２は共にオフとなり、スイッチ１２０Ａはオフの状態となる。
【０１４７】
ここで、永久磁石１５１の磁極の向きが上記とは逆であり、図１６（Ｃ）に示すように、右端がＮ極、左端がＳ極である場合について説明する。永久磁石１５１Ａが発生している磁界によって、図１６（Ｃ）に示すように、コンタクト部１３０ｂはＮ極となり、コンタクト部１３１ｂはＳ極となる。コンタクト部１３０ｂは永久磁石１３８Ａに吸引され、コンタクト部１３１ｂはコンタクト部１３０ｂに対して反発され、第２のスイッチ部１２２はオフの状態のままであり、スイッチ１２０はオフの状態のままである。
【０１４８】
なお、前記の作動の条件は、通常の状態ではおよそ起きないことであり、スイッチ１２０が偶然にオンとなってしまうことは起きない。
【０１４９】
また、スイッチ１２０は、２つの永久磁石を認識することに加えて、２つの永久磁石の極性の配置が特定の配置であり、しかも互いに逆であることを認識する機能及び認証する機能を有しており、図３に示すスイッチ２０に比べては勿論、図１３に示すスイッチ１２０に比べても、セキュリティが必要とされる場所に適用して更に効果を発揮する。
【０１５０】
また、継鉄・永久磁石組立体１３０、１３１Ａが設けてあることによって、スイッチ１２０Ａは耐衝撃性に優れている。
【０１５１】
［第７実施例］
図１７及び図１８は本発明の第７実施例の作動条件制約型スイッチ１６０を示す。図１９はスイッチ本体を分解して示す。Ｘ１−Ｘ２は作動条件制約型スイッチ１６０の長手方向、Ｙ１−Ｙ２は幅方向、Ｚ１−Ｚ２は高さ方向である。
【０１５２】
作動条件制約型スイッチ１６０は、スイッチ組立体１６３がカバー１６４によって覆われており、両端に銅合金製である実装用の端子部１９２ａ１，２０２ａ１を有する構成である。なお、実装用の端子部は、スイッチ組立体１６３の両端近傍のＺ２側に設けられる場合もある。請求項９記載の端子部材に関する記載の「両端に端子部材を有する」のうちの「両端」は、スイッチ組立体１６３の両端及びスイッチ組立体１６３の両端近傍を包含するものである。
【０１５３】
スイッチ組立体１６３は、インサートモールドベース１６６上に第１のスイッチ部１６１と第２のスイッチ部１６２とが直列に接続されて設けてある構成である。第１のスイッチ部１６１と第２のスイッチ部１６２とは、夫々の接点部分１６１ａ，１６２ａがＸ１−Ｘ２方向上寸法Ｌ１離れて配置してある。第１、第２のスイッチ部１６１、１６２は、Ｙ１−Ｙ２方向上、寸法δずれている。インサートモールドベース１６６は、モールドベース本体１６７と、モールドベース本体１６７内に埋め込まれている接続部材１６８及び端子部材１６９、１７０とよりなる構造である。
【０１５４】
作動条件制約型スイッチ１６０の特徴を分かり易くするために、スイッチ組立体１６３をその製造工程に沿って説明する。
【０１５５】
スイッチ組立体１６３は、インサートモールド工程→プレス工程→リード片溶接工程を経て製造される。
（１）インサートモールド工程
図２０（Ｂ）に示すインサートフレーム部材１８０を用意する。インサートフレーム部材１８０は、図２０（Ａ）に示す、銅合金製の板材２２０をプレスで打ち抜いて製造される。銅合金製の板材２２０は、特殊形状のロールによって圧延された異形の板であり、厚さｔ１が０．２ｍｍであり、上面の二箇所に帯状部２２１、２２２を有する。この帯状部２２１、２２２の厚さｔ２は０．３ｍｍであり、板２２０の厚さｔ１より０．１ｍｍ厚い。板２２０の下面は全面に亘って平らである。帯状部２２１、２２２の上面の板２２０の上面に対する段差寸法ａは、０．１ｍｍである。
【０１５６】
インサートフレーム部材１８０は、長方形のフレーム部１８１と、二つのＴ字形状部１９０，２００と、一つのＨ字形状部２１０とを有する形状である。Ｔ字形状部１９０，２００及びＨ字形状部２１０は、フレーム部１８１の内側に位置しており、フレーム部１８１と繋がっている。
【０１５７】
Ｔ字形状部１９０，２００は、夫々頭の部分１９１、２０１と、脚の部分１９２、２０２とよりなる。頭の部分１９１、２０１は、夫々図２０（Ａ）に示す板材２２０のうちの帯状部２２１，２２２の一部によって形成されている。
【０１５８】
Ｈ字形状部２１０は、２つのＩ字形状部２１１，２１２と、この間をつなぐ連結梁部２１３とよりなり、板２００のうち厚さｔ１が０．２ｍｍである部分２２３によって形成されている。
【０１５９】
上記のインサートフレーム部材１８０を下側の樹脂成形金型上にセットし、上下の樹脂成形金型を組み合わせ、液晶ポリマーを樹脂成形金型内に注入して、インサート成形する。これによって、図２１に示すインサートモールド部品２３０が製造される。
【０１６０】
インサートモールド部品２３０は、液晶ポリマー製のモールドベース本体１６７と、インサートフレーム部材１８０とよりなる。インサートフレーム部材１８０のうちＴ字形状部１９０，２００の中央部分とＨ字形状部２１０の中央部分とが、モールドベース本体１６７内に埋め込まれている。
【０１６１】
モールドベース本体１６７の上面には、第１、第２のスイッチ部１６１、１６２を設けるための浅い凹部１６７ａ，１６７ｂが形成してある。
（２）プレス工程
図２１のインサートモールド部品２３０をプレス装置にセットし、プレス装置を作動させて、インサートフレーム部材１８０のうち脚の部分１９２、２０２を除いてモールドベース本体１６７から突き出ている個所で切断し、脚の部分１９２、２０２についてはフレーム部１８１の近くで切断して曲げる。これによって、図１９に示すインサートモールドベース１６６が製造される。
【０１６２】
インサートモールドベース１６６は、モールドベース本体１６７と、モールドベース本体１６７内に埋め込まれている接続部材１６８及び端子部材１６９、１７０とよりなる構造である。
【０１６３】
接続部材１４８は、Ｈ字形状部２１０の中央の部分であり、図１９に示すように、２つのＩ字形状部２１１ａ，２１２ａとこの間をつなぐ連結梁部２１３とよりなり、Ｈ字形状を有している。２１１ａ１は端子部であり、Ｉ字形状部２１１ａのうちＹ２側の部分であり、凹部１６７ａのうちＸ１側の部分に露出している。２１２ａ１は端子部であり、Ｉ字形状部２１２ａのうちＹ１側の部分であり、凹部１６７ｂのうちＸ２側の部分に露出している。
【０１６４】
端子部材１６９は、Ｔ字形状部１９０の中央の部分である。１９２ａ１は端子部であり、脚の部分１９２の一部であり、モールドベース本体１６７よりＸ２方向に突き出している。１９１ａ１は端子部であり、頭の部分１９１の一部であり、凹部１６７ａのうちＸ２側の部分に露出している。
【０１６５】
端子部材１７０は、Ｔ字形状部２００の中央の部分である。２０２ａ１は端子部であり、脚の部分２０２の一部であり、モールドベース本体１６７よりＸ１方向に突き出している。２０１ａ１は端子部であり、頭の部分２０１の一部であり、凹部１６７ｂのうちＸ１側の部分に露出している。
【０１６６】
端子部１９１ａ１、２０１ａ１の上面は、端子部２１１ａ１、２１２ａ１の上面より、０．１ｍｍ高い。
（３）リード片溶接工程
図１９中、最初に、リード片２４０の基部２４０ｂを端子部２１１ａ１上にレーザ溶接し、次いで、リード片２４１の基部２４１ｂを端子部１９１ａ１上にレーザ溶接する。また、リード片２４２の基部２４２ｂを端子部２１２ａ１上にレーザ溶接し、次いで、リード片２４３の基部２４３ｂを端子部２０１ａ１上にレーザ溶接する。
【０１６７】
リード片２４０〜２４３は、コバルト鉄合金製であり、長さが３ｍｍ程度で厚さｔ３が０．０６ｍｍと薄い片であり、金メッキが施してある。リード片２４０〜２４３は、電磁鉄製、鉄ニッケル合金製等でもよい。
【０１６８】
なお、各リード片２４０〜２４３は、元々は、図１９中、二点鎖線で示す掴み部２４０ｃ〜２４３ｃを有している。レーザ溶接時には、治具が掴み部２４０ｃ〜２４３ｃを掴んで、リード片を溶接する個所に位置を決めしている。レーザ溶接完了後に、各掴み部２４０ｃ〜２４３ｃは切断して除去される。
【０１６９】
リード片２４０とリード片２４１とが第１のスイッチ部１６１を構成し、図１８に拡大して示すように、リード片２４０の先端の接点２４０ａとリード片２４１の先端の接点２４１ａとの間には、ギャップ長さｇ１が約０．０５ｍｍの隙間２４５が形成されている。
【０１７０】
リード片２４２とリード片２４３とが第２のスイッチ部１６２を構成し、上記の第１のスイッチ部１６１の場合と同様に、リード片２４２の先端の接点２４２ａとリード片２４３の先端の接点２４３ａとの間には、ギャップ長さｇ１が約０．０５ｍｍの隙間２４６が形成されている。
【０１７１】
以上によって、スイッチ組立体１６３が完成する。
【０１７２】
カバー１６４は、液晶ポリマー製の箱形状の成形部品である。天板部１６４ａは所定の厚さｔ１０を有する。
【０１７３】
カバー１６４でスイッチ組立体１６３を覆った後に、スイッチ１６０の底面側にエポキシ樹脂を塗布して密封し、加熱して塗布したエポキシ樹脂を熱硬化させ、最後にカバー１６４の空気抜き穴１６４ｂを塞いで、スイッチ１６０が完成する。
【０１７４】
カバー１６４の天板部１６４ａは、モールドベース本体１６７の上面に当たっている。第１、第２のスイッチ部１６１、１６２は、モールドベース本体１６７の浅い凹部１６７ａ，１６７ｂとカバー１６４の天板部１６４ａの下面とによって形成された、空間２５１，２５２の内部に収まっており、密封されている。
【０１７５】
上記のように製造された作動条件制約型スイッチ１６０は、端子部１９２ａ１及び端子部２０２ａ１を、プリント回路基板のパッド上に半田付けされて、プリント回路基板上に表面実装される。
【０１７６】
上記のように製造された作動条件制約型スイッチ１６０は以下に挙げる特長を有する。
（１）第１,第２のスイッチ部１６１、１６２の隙間２４５，２４６のギャップ長さｇ１の精度が高い。
【０１７７】
第１のスイッチ部１６１の隙間２４５のギャップ長さｇ１は、基本的には、板材２２０の段差寸法ａによって決定される。即ち、隙間２４５のギャップ長さｇ１に影響を与えるパラメータは、板材２２０の段差寸法ａの公差と、リード片２４０の厚さｔ３の公差の２つに限られる。よって、第１のスイッチ部１６１の隙間２４５のギャップ長さｇ１は高い精度で形成される。
【０１７８】
同じく、第２のスイッチ部１６２の隙間２４６のギャップ長さｇ１は、板材２２０の段差寸法ａによって決定され、高い精度で形成される。
（２）カバー１６４として天板部１６４ａの厚さを適宜定めたものを組み込むことによって、第１,第２のスイッチ部１６１、１６２が作動する外部磁界の強さを決めることが可能である。
【０１７９】
カバー１６４の天板部１６４ａは第１,第２のスイッチ部１６１、１６２の上面を覆っており、外部の磁界が第１,第２のスイッチ部１６１、１６２に作用する程度を弱くして、第１,第２のスイッチ部１６１、１６２が作動する感度を低下させる。天板部１６４ａの厚さを厚くすると、第１,第２のスイッチ部１６１、１６２が作動する感度が更に低下される。
【０１８０】
本実施例では、天板部１６４ａの厚さｔ１０は、約０．３ｍｍとしてあり、第１,第２のスイッチ部１６１、１６２は磁石が通常の磁石である場合は作動しないで、希土類の磁石である場合に初めて作動するようにしてある。
（３）第１のスイッチ部１６１と第２のスイッチ部１６２との独立性が高い。
【０１８１】
第１のスイッチ部１６１と第２のスイッチ部１６２とは、Ｙ１−Ｙ２方向上ずれており、図１９に示すように、第１のスイッチ部１６１のリード片２４０の基部２４０ｂと第２のスイッチ部１４２のリード片２４２の基部２４２ｂとを結ぶ線２６０は、Ｘ１−Ｘ２方向の線２６１に対して角度θをなす方向となる。よって、リード片２２０の基部とリード片２２２の基部との間の距離Ｌ１０は、第１のスイッチ部１４１と第２のスイッチ部１４２とがＹ１−Ｙ２方向にずれていない構成における上記の距離Ｌ１０に対応する距離Ｌ１１に比べて長くなる。
【０１８２】
よって、第１のスイッチ部１６１と第２のスイッチ部１６２とがＹ１−Ｙ２方向にずれていない構成に比べて、第１のスイッチ部１６１と第２のスイッチ部１６２との間の磁気抵抗が高くなり、第１のスイッチ部１６１と第２のスイッチ部１６２との独立性は高い。このため、第１のスイッチ部１６１及び第２のスイッチ部１６２のうち一方が作動されたことに伴なって他方が作動されてしまう誤作動が防止される。
（４）作動したときの電圧降下が小さい。
【０１８３】
リード片２４０〜２４３は金メッキされているコバルト鉄合金製であり、接続部材１６８及び端子部材１６９、１７０は銅合金製である。よって、第１、だい２のスイッチ部１６１、１６２が作動した場合における、端子部１９２ａ１と端子部２０２ａ１との間における電圧降下は小さい。
（５）表面実装が可能である。
【０１８４】
モールドベース本体１４７及びカバー１４４が液晶ポリマー製であり、高い耐熱性を有している。また、端子部１９２ａ１、２０２ａ１は表面実装に適した形状を有する。よって、作動条件制約型スイッチ１６０はプリント回路基板上に表面実装される。
【０１８５】
次に、作動条件制約型スイッチの各スイッチ部を同時に作動させるように磁界を発生させる磁界発生ユニットについて説明する。
【０１８６】
電子装置とこの電子装置に装着される装着物とにおいて、作動条件制約型スイッチは装着物に設けられ、外部磁界発生ユニットは電子装置に設けられる。
【０１８７】
以下、外部磁界発生ユニットについて説明するに、作動条件制約型スイッチとしては、図１７及び図１８に示す構造の作動条件制約型スイッチ１６０を例に挙げて説明する。作動条件制約型スイッチ１４０は、概略的には、図２２に示すように、リード片２４０とリード片２４１とよりなる第１のスイッチ部１６１とリード片２４２とリード片２４３とよりなる第２のスイッチ部１６２とが接続部材１６８を介して直列に接続されており、且つ、両端側に端子部１９２ａ１、２０２ａ１を有し、第１のスイッチ部１６１の接点部分１６１ａと第２のスイッチ部１６２の接点部分１６２ａとがＸ１−Ｘ２方向に距離Ｌ１離れている構造である。
【０１８８】
［第１実施例］
図２２（Ａ）に示すように、外部磁界発生ユニット３００は、第１のスイッチ部１６１に作用する予定の第１の永久磁石３０１と第２のスイッチ部１６２に作用する予定の第２の永久磁石３０２とがモールド体３０３内に収まっている構造である。第１、第２の永久磁石３０１、３０２は、その中心間が、Ｘ１−Ｘ２方向上、距離Ｌ１より長い距離Ｌ２０離れている。
【０１８９】
第１の永久磁石３０１は、Ｚ２側がＮ極、Ｚ１側がＳ極である。第２の永久磁石３０２も、Ｚ２側がＮ極、Ｚ１側がＳ極である。第１、第２の永久磁石３０１、３０２は、Ｚ１−Ｚ２方向が磁極の向きである。第１、第２の永久磁石３０１、３０２は、磁束φ１０、φ１１で示す磁界を発生している。
【０１９０】
作動条件制約型スイッチ１６０に対してみると、第１、第２の永久磁石３０１、３０２の磁極の並びの方向は、第１、第２のスイッチ部１６１、１６２が整列している方向に対して垂直の方向である。
【０１９１】
リード片に対してみると、第１の永久磁石３０１の磁極の並びの方向は、リード片２４０、２４１が整列している方向に対して垂直の方向である。第２の永久磁石３０２の磁極の並びの方向は、リード片２４２、２４３が整列している方向に対して垂直の方向である。
【０１９２】
第１、第２の永久磁石３０１、３０２は、その中心間が、Ｘ１−Ｘ２方向上、距離Ｌ１より長い距離Ｌ１０離れている。
【０１９３】
作動条件制約型スイッチ１６０と外部磁界発生ユニット３００とで、作動条件制約型スイッチ装置３１０を構成する。
【０１９４】
図２２（Ｂ）に示すように、作動条件制約型スイッチ１６０が外部磁界発生ユニット３００に接近すると、第１、第２のスイッチ部１６１、１６２が夫々第１、第２の永久磁石３０１、３０２に対向する。第１の永久磁石３０１が発生している磁束φ１０がリード片２４０、２４１内を流れ、リード片２４０の接点２４０ａがＮ極、リード片２４１の接点２４１ａがＳ極となり、磁気的吸引力が作用して、リード片２４０の接点２４０ａとリード片２４１の接点２４１ａとが接触されて、第１のスイッチ部１６１がオンとなる。第２の永久磁石３０２が発生している磁束φ１１がリード片２４２、２４３内を流れ、リード片２４２の接点２４２ａがＮ極、リード片２４３の接点２４３ａがＳ極となり、磁気的吸引力が作用して、リード片２４２の接点２４２ａとリード片２４３の接点２４３ａとが接触されて、第２のスイッチ部１６２がオンとなる。これによって、スイッチ１６０は作動されてオンとなり、端子部１９２ａ１、２０２ａ１間が導通する。
【０１９５】
第１、第２の永久磁石３０１、３０２の磁極の向きは、上記の逆でもよく、第１の永久磁石３０１と第２の永久磁石３０２とで、互いに逆でもよい。
【０１９６】
図２３は、第１、第２の永久磁石３０１、３０２の位置のＸ１−Ｘ２方向の位置とスイッチ部の一対のリードの接点の間に作用する磁気的吸引力との関係を示す、シミュレーションの結果を示す。なお、Ｚ１−Ｚ２方向上、第１、第２の永久磁石３０１、３０２は作動条件制約型スイッチ１６０に対して接近している。
【０１９７】
Ｐ０は外部磁界発生ユニット３００のＸ１−Ｘ２方向の中央の位置である。Ｐ１〜Ｐ７は、位置Ｐ０からＸ１側の略等間隔でプロットした位置である。Ｐ−１〜Ｐ−７は、Ｐ１〜Ｐ７のＰ０に関して対称の位置である。
【０１９８】
第１のスイッチ部１６１はその接点部がＰ−３に位置し、第２のスイッチ部１６２はその接点部がＰ３に位置するように設けてある。
【０１９９】
第１の永久磁石３０１を各位置Ｐ−１〜Ｐ−７に位置させた場合に、第１のスイッチ部１６１の接点部に発生する磁気的吸引力は、線３２０で示すように変化する。ピーク３２１は、Ｐ−３よりＸ２方向に偏倚した位置Ｐ−４で現れている。
【０２００】
第２の永久磁石３０２を各位置Ｐ１〜Ｐ７に位置させた場合に、第２のスイッチ部１６２の接点部に発生する磁気的吸引力は、線３３０で示すように変化する。ピーク３３１は、Ｐ３よりＸ１方向に偏倚した位置Ｐ４で現れている。
【０２０１】
このシミュレーションの結果に基いて、上記の外部磁界発生ユニット３００においては、第１の永久磁石３０１は位置Ｐ−４に、第２の永久磁石３０２は位置Ｐ４に設けてある。即ち、第１、第２の永久磁石３０１、３０２は、その中心間が、Ｘ１−Ｘ２方向上、第１、第２のスイッチ部１６１、１６２の接点部の距離Ｌ１より長い距離Ｌ１０離して配置してある。
【０２０２】
なお、ピーク３２１、３３１の磁気的吸引力はＦ１である。３４０は動作可能レベルであり、磁気的吸引力がレベル３４０より高い場合に、スイッチ部１６１、１６２が作動される。
【０２０３】
図２４は、永久磁石がその磁極がＸ方向を向いた姿勢である場合のシミュレーションの結果であり、図２３に対応する図である。
【０２０４】
第１の永久磁石３５１を各位置Ｐ−１〜Ｐ−７に位置させた場合に、第１のスイッチ部１６１の接点部に発生する磁気的吸引力は、線３６０で示すように変化する。ピーク３６１は、Ｐ−３の位置で現れている。第２の永久磁石３５２を各位置Ｐ１〜Ｐ７に位置させた場合に、第２のスイッチ部１６２の接点部に発生する磁気的吸引力は、線３７０で示すように変化する。ピーク３７１は、Ｐ３の位置で現れている。ピーク３６１、３７１での磁気的吸引力Ｆ２は、Ｆ１より低い。永久磁石３５１、３５２は夫々Ｐ−３、Ｐ３に配置され、永久磁石３５１、３５２の間の距離Ｌ１１は、上記の距離Ｌ１０に比べて短い。
【０２０５】
図２３示すシミュレーションの結果を図２４に示すシミュレーションの結果と比較すると、本発明のように永久磁石の姿勢が磁極がＺ方向を向いた姿勢である場合の方が、永久磁石の姿勢が磁極がＸ方向を向いた姿勢である場合に比べて、ピークの磁気的吸引力が強いことが分かる。よって、永久磁石の姿勢が磁極がＺ方向を向いた姿勢である場合には、永久磁石のサイズが小さくて足りる。
【０２０６】
よって、図２２において、第１、第２の永久磁石３０１、３０２はサイズが小さく、よって、外部磁界発生ユニット３００は小型である。
【０２０７】
第１、第２の永久磁石３０１、３０２はサイズが小さくて足りる理由は、以下のように考えられる。図２４に示す永久磁石３５１、３５２の向きでは、磁極が向き合うため、永久磁石３５１から永久磁石３５２に向かう磁束φ２０が存在して、永久磁石３５１と永久磁石３５２とが磁気的に干渉し、その結果、スイッチ部に作用する磁束が弱くなってしまう。これに対して、図２２に示す永久磁石３０１、３０２の向きでは、第１には、磁極が向き合わないため、永久磁石３０１と永久磁石３０２とが磁気的に干渉し難い。第２には、永久磁石３０１と永久磁石３０２との間の距離Ｌ１０が上記の距離Ｌ１１に比べて長いため、永久磁石３０１と永久磁石３０２とが磁気的に干渉し難い。
【０２０８】
なお、モールド体３０３に代えて、ケースでもよい。
【０２０９】
また、永久磁石３０１と永久磁石３０２とを独立に電子装置の凹部内に組み込んでも、作動条件制約型スイッチ１６０を作動させることが出来るのは勿論である。
【０２１０】
［第２実施例］
図２５（Ａ）に示すように、外部磁界発生ユニット３００Ａは、図２２（Ａ）に示す外部磁界発生ユニット３００に、第３の永久磁石３６０を追加して設けてある構成である。
【０２１１】
第１、第２の永久磁石３０１、３０２の磁極の向きは同じである。Ｚ２側がＮ極、Ｚ１側がＳ極である。第３の永久磁石３６０は、Ｚ２側がＳ極、Ｚ１側がＮ極であり、第１の永久磁石３０１、３０２の磁極の向きとは逆の向きである。第３の永久磁石３６０は、第１、第２の永久磁石３０１、３０２の中間の位置に設けてある。
【０２１２】
第１の永久磁石３０１と第３の永久磁石３６０との間には、磁束φ４０で示す磁界を発生している。第２の永久磁石３０２と第３の永久磁石３６０との間には、磁束φ４１で示す磁界を発生している。
【０２１３】
作動条件制約型スイッチ１６０と外部磁界発生ユニット３００Ａとで、作動条件制約型スイッチ装置３１０Ａを構成する。
【０２１４】
図２５（Ｂ）に示すように、作動条件制約型スイッチ１６０が外部磁界発生ユニット３００Ａに接近すると、第１、第２のスイッチ部１６１、１６２が夫々第１、第２の永久磁石３０１、３０２に対向する。第１の永久磁石３０１が発生している磁束φ４０がリード片２４０、２４１内を流れ、第１のスイッチ部１６１がオンとなる。第２の永久磁石３０２が発生している磁束φ４１がリード片２４２、２４３内を流れ、第２のスイッチ部１６２がオンとなる。
【０２１５】
磁束φ４０、φ４１は、リード片内を通り抜けた後に、第３の永久磁石３６０に到って終点となる。第３の永久磁石３６０はリード片の近くに位置しており、磁束φ４０、φ４１が流れる磁路の磁気抵抗は、図２２（Ｂ）に示す外部磁界発生ユニット３００の場合に比べて低くなる。これによって、磁束φ４０、φ４１が第１、第２のスイッチ部１６１、１６２に効率良く作用する。
【０２１６】
よって、外部磁界発生ユニット３００Ａは、図２２（Ｂ）に示す外部磁界発生ユニット３００の場合に比べて、作動条件制約型スイッチ１６０をより確実に作動させることが出来る。
【０２１７】
第１、第２の永久磁石３０１、３０２は、Ｚ２側がＳ極、Ｚ１側がＮ極であり、第３の永久磁石３６０は、Ｚ２側がＮ極、Ｚ１側がＳ極であってもよい。
【０２１８】
［第３実施例］
図２６（Ａ）に示すように、外部磁界発生ユニット３００Ｂは、図２５（Ａ）に示す外部磁界発生ユニット３００Ａの第１、第２、第３の永久磁石３０１、３０２、３６０に代えて、１つの永久磁石３７０を設けた構成である。
【０２１９】
この永久磁石３７０は、細長い形状の板材のＺ２側の面に、Ｎ−Ｓ−Ｎ極の三点着磁してある構造である。永久磁石３７０は、磁束φ５０、φ５１で示す磁界を発生している。
【０２２０】
作動条件制約型スイッチ１６０と外部磁界発生ユニット３００Ｂとで、作動条件制約型スイッチ装置３１０Ｂを構成する。
【０２２１】
図２６（Ｂ）に示すように、作動条件制約型スイッチ１６０が外部磁界発生ユニット３００Ｂに接近すると、磁束φ５０、φ５１が夫々第１、第２のスイッチ部１６１、１６２内を効率的に流れ、第１、第２のスイッチ部１６１、１６２がオンとなる。
【０２２２】
外部磁界発生ユニット３００Ｂは単一の永久磁石３７０で構成されているため、
外部磁界発生ユニット３００Ａに比べて組立てしやすく、且つ安価である。
【０２２３】
永久磁石３７０は、Ｓ−Ｎ−Ｓ極の並びでもよい。
【０２２４】
外部磁界発生ユニット３００Ｂは、永久磁石３７０に代えて、図２７に示す永久磁石３７０Ａを組み込んだ構成でもよい。
【０２２５】
この永久磁石３７０ＡはＥ字形状であり、各凸部３７０Ａａ，３７０Ａｂ，３７０Ａｃが、Ｎ−Ｓ−Ｎ極と着磁してある。着磁する部分が凸部３７０Ａａ，３７０Ａｂ，３７０Ａｃであるため、着磁は永久磁石３７０の場合に比べてし易い。
【０２２６】
［作動条件制約型スイッチ装置の実施例］
図２８（Ａ）は作動条件制約型スイッチ装置３１０Ｄを示す。作動条件制約型スイッチ装置３１０Ｄは、作動条件制約型スイッチ１６０Ｄと外部磁界発生ユニット３００とよりなる。
【０２２７】
外部磁界発生ユニット３００は図２２（Ａ）に示す構造である。
【０２２８】
作動条件制約型スイッチ１６０Ｄは、図１７及び図２２（Ａ）に示す作動条件制約型スイッチ１６０に、永久磁石３８０を組み込んだ構成である。
【０２２９】
永久磁石３８０は、Ｚ２側がＳ極、Ｚ１側がＮ極であり、第１、第２のスイッチ部１６１、１６２の間に設けてある。永久磁石３８０の磁極の向きは、第１、第２の永久磁石３０１、３０２の磁極の向きとは逆である。
【０２３０】
図２８（Ｂ）に示すように、作動条件制約型スイッチ１６０Ｄが外部磁界発生ユニット３００に接近すると、第１、第２のスイッチ部１６１、１６２が夫々第１、第２の永久磁石３０１、３０２に対向する。第１の永久磁石３０１が発生している磁束φ１０はリード片２４１、２４０内を流れ、リード片２４０を通り抜けた後に、永久磁石３８０に到って終点となり、第１のスイッチ部１６１がオンとなる。第２の永久磁石３０２が発生している磁束φ１１は、リード片２４３、２４２内を流れ、リード片２４２を通り抜けた後に、永久磁石３８０に到って終点となり、第２のスイッチ部１６２がオンとなる。
【０２３１】
第１の永久磁石３０１が、上記とは逆に、Ｚ２側がＮ極、Ｚ１側がＳ極である場合には、磁束がリード片２４１、２４０に流れず、第１のスイッチ部１６１は作動せず、オフのままである。第２の永久磁石３０２が、上記とは逆に、Ｚ２側がＮ極、Ｚ１側がＳ極である場合には、磁束がリード片２４３、２４２に流れず、第２のスイッチ部１６２は作動せず、オフのままである。
【０２３２】
よって、作動条件制約型スイッチ１６０Ｄ内の永久磁石３８０の磁極の向きは、外部磁界発生ユニット３００内の第１、第２の永久磁石３０１、３０２の磁極の向きを一つに定める役割を有する。
【０２３３】
永久磁石３８０がＺ２側がＮ極、Ｚ１側がＳ極である場合には、第１、第２の永久磁石３０１、３０２は、Ｚ２側がＳ極、Ｚ１側がＮ極であることが必要である。
【０２３４】
よって、スイッチ１６０Ｄは、作動条件が、第１、第２の永久磁石３０１、３０２の極性の配置が特定の配置であり、しかも、同じであるということに制約されているものである。即ち、スイッチ１６０Ｄは、第１、第２の永久磁石３０１、３０２の極性の配置が特定の配置であり、しかも、同じであるということを認識する機能及び認証する機能を有しており、図１７に示すスイッチ１６０に比べてセキュリティが必要とされる場所に適用して更に効果を発揮する。例えば、外部磁界発生ユニット３００は電子装置本体に組み込まれ、作動条件制約型スイッチ１６０Ｄは電池パックに組み込まれる。
【０２３５】
次に、本発明の作動条件制約型スイッチ装置の各実施例について説明する。
【０２３６】
［第１実施例］
図２９（Ａ）は作動条件制約型スイッチ装置４００を示す。作動条件制約型スイッチ装置４００は、第１の作動条件制約型スイッチ４１０−１と第２の作動条件制約型スイッチ４１０−２とよりなる構成である。５２０は電子機器であり、電子機器本体５１０と電池パック５００とよりなる。
【０２３７】
第１の作動条件制約型スイッチ４１０−１は電池パック５００に、第２の作動条件制約型スイッチ４１０−２は電子機器本体５１０に、電池パック５００が電子機器本体５１０に装着された場合に、図２９（Ｂ）に示すように、第１の作動条件制約型スイッチ４１０−１が第２の作動条件制約型スイッチ４１０−２と接近して対向するように組み込んである。
【０２３８】
図２９は第１の作動条件制約型スイッチ４１０−１を分解して示す。Ｘ１−Ｘ２は第１の作動条件制約型スイッチ４１０−１の長手方向、Ｙ１−Ｙ２は幅方向、Ｚ１−Ｚ２は高さ方向である。Ｘ２側からＸ１側に、順に、第１のスイッチ部４１１−１、第２のスイッチ部４１２−１、第２の永久磁石片４２２−１、第１の永久磁石片４２１−１が、線４１５−１上に並んでいる。第１のスイッチ部４１１−１と第２のスイッチ部４１２−１とは、モールドベース４１４−１に固定してあり、夫々の接点部分がＸ１−Ｘ２方向上寸法Ｌ１０離れて配置され、電気的には導体であり磁気的には非磁性体である接続部材４１３−１を間に介して直列に接続されている。第１の永久磁石片４２１−１及び第２の永久磁石片４２２−１は、共に、上面がＳ極、下面がＮ極であり、夫々の中心がＸ１−Ｘ２方向上寸法Ｌ１１離れて配置されている。寸法Ｌ１１は、寸法Ｌ１０より少し長い。４２５−１は例えば銅合金製の細長片であり、第２のスイッチ部４１２−１から出て、モールドベース４１４−１からＸ２方向に、第１、第２の永久磁石片４２１−１、４２２−１の下側を通って延びている。細長片４２５−１は、導体で非磁性の材料であれば、銅合金以外の材料でもよい。４２６−１，４２７−１は実装用の端子部である。端子部４２６−１は第１のスイッチ部４１１−１と接続してある。端子部４２７−１は細長片４２５−１の先端に形成してある。モールドベース４１４−１及び第１、第２の永久磁石片４２１−１、４２２−１は、モールドカバー４２８−１によって覆われている。
【０２３９】
なお、モールドベース４１４−１及び第１、第２の永久磁石片４２１−１、４２２−１は、モールドカバー４２８−１の内部に形成してある凹部内に嵌合して位置が決められている（図３６（Ｂ），図３７（Ｂ）参照）。
【０２４０】
第２のスイッチ部４１２−１と第２の永久磁石片４２２−１とは隣り合っており、第２の永久磁石片４２２−１が発生する磁束は第２のスイッチ部４１２−１に作用する。しかし、第２のスイッチ部４１２−１は第２の永久磁石片４２２−１の厚さの中央に対応する位置に位置しているため、第２のスイッチ部４１２−１に作用する磁束はＺ１−Ｚ２方向を向く磁束となり、Ｘ１−Ｘ２方向の成分を殆ど有しない磁束である。磁束はリード部を専らその厚さ方向に横切るだけとなり、リード部の長手方向に流れる磁束は極く僅かとなり、リード部の先端は殆ど磁化されず、第２のスイッチ部４１２−１はオフに維持される。
【０２４１】
電池パック５００は、内部に充電可能なバッテリ５０１を有し、表面に、電池本体５０１の各電極と接続してある一対の端子５０２，５０３を有する。第１の作動条件制約型スイッチ４１０−１は、電池パック５００内のプリント基板（図示せず）上に表面実装してあり、電気的には、端子部４２６−１をバッテリ５０１と接続され、端子部４２７−１を端子５０２と接続されて、バッテリ５０１と端子５０２との間に接続されている。
【０２４２】
電池パック５００をバッグ及びポケットに入れて単体で取り扱っているときには、第１、第２のスイッチ部４１１−１、４１２−１は共にオフの状態にあり、端子５０２，５０３間にはバッテリ５０１の電圧はかかっていない。よって、バッグ及びポケットに入っていたクリップ、鎖等によって端子５０２，５０３間が短絡されたとしても、短絡電流は流れず、安全である。
【０２４３】
第２の作動条件制約型スイッチ４１０−２は、上記の第１の作動条件制約型スイッチ４１０−１と同じ構成である。対応部分には、添字「−２」を付した同じ符号を付す。
【０２４４】
電子機器本体５１０は、内部に例えば液晶装置５１１を有し、電池パック５００が装着される電池パック装着部５１２に、一対の端子５１３，５１４が設けてある。電子機器本体５１０の内部には、電池パック５００によって動作されるものとして、液晶装置５１１以外に、振動モータ、スピーカ等がある。第２の作動条件制約型スイッチ４１０−２は、第１の作動条件制約型スイッチ４１０−１をＺ１−Ｚ２方向及びＸ１−Ｘ２方向について共に逆の向きとした姿勢である。第２の作動条件制約型スイッチ４１０−２は、電子機器本体５１０内のプリント基板（図示せず）上に表面実装してあり、電気的には、端子部４２７−２は液晶装置５１１と、端子部４２６−２は端子５１３と接続してある。端子５１４は液晶装置５１１と接続してある。第１、第２のスイッチ部４１１−２、４１２−２は共にオフの状態にある。
【０２４５】
次に、正規の電池パック５００を電子機器本体５１０に装着した場合の動作、及び不正な電池パックを電子機器本体５１０に装着した場合の動作について説明する。
【０２４６】
（１）正規の電池パック５００を電子機器本体５１０に装着した場合：
電池パック５００は図２９（Ｂ）に示すように電子機器本体５１０に装着され、第１の作動条件制約型スイッチ４１０−１が第２の作動条件制約型スイッチ４１０−２と接近して対向し、且つ、端子５０２，５０３が夫々端子５１３，５１４と接触される。
【０２４７】
第１の作動条件制約型スイッチ４１０−１の第１、第２の永久磁石片４２１−１、４２２−１が夫々第２の作動条件制約型スイッチ４１０−２の第１、第２のスイッチ部４１１−２，４１２−２と対向して、第１、第２のスイッチ部４１１−２，４１２−２がオンとされる。また、第１の作動条件制約型スイッチ４１０−１の第１、第２のスイッチ部４１１−１，４１２−１が夫々第２の作動条件制約型スイッチ４１０−２の第１、第２の永久磁石片４２１−２、４２２−２と対向して、第１、第２のスイッチ部４１１−１，４１２−１がオンとされる。
【０２４８】
これにより、バッテリ５０１の電圧が第１の作動条件制約型スイッチ４１０−１を通して端子５０２，５０３に電圧がかかり、更に、この電圧が第２の作動条件制約型スイッチ４１０−２を通して液晶装置５１１にかかり、電子機器本体５１０は動作可能状態となる。
【０２４９】
ここで、Ｌ１０＜Ｌ１１であるので、永久磁石片４２１−１、４２２−１、４２１−２、４２２−２とスイッチ部４１１−２，４１２−２、４１１−１，４１２−１は、夫々のＺ１−Ｚ２方向の中心線がＸ１−Ｘ２方向にΔＸずれている。よって、図２３を参照して先に説明したように、各スイッチ部４１１−２，４１２−２、４１１−１，４１２−１の対をなすリード部の先端の間には磁気的吸引力が効率良く発生し、スイッチ部４１１−２，４１２−２、４１１−１，４１２−１は確実に動作する。
【０２５０】
即ち、電池パック５００については、装着された電子機器が正規の電子機器本体５１０であることを認識して、端子５０２，５０３に電圧がかかるようにされる。電子機器本体５１０については、装着された電池パックが正規の電池パック５００であることを認識して、液晶装置５１１と端子５１３との間に回路を形成するようにされる。
【０２５１】
（２）不正な電池パックを電子機器本体５１０に装着した場合：
不正な電池パックとは、形状及びサイズは上記の電池パック５００と同じではあるけれども、第１の作動条件制約型スイッチ４１０が組み込まれていないもの、所謂海賊版をいう。
【０２５２】
不正な電池パックは、正規の電池パック５００と同様に電子機器本体５１０に装着され、端子５１３，５１４に電圧が印加される。しかし、スイッチ部４１１−２，４１２−２はオンとはされず、オフのままであり、液晶装置５１１と端子５１３との間に回路は形成されていない。よって、電子機器本体５１０は、不正な電池パックからの電圧の供給を拒否する。
【０２５３】
これによって、電力が不足であったり過剰であったりする不正な電池パックによって駆動されて、電子機器が故障したりする事故の発生が確実に防止される。
【０２５４】
なお、電子機器本体５１０が充電器である場合には、不正な電池パックへの充電は行われない。
【０２５５】
次に他の実施例について説明する。第１実施例の作動条件制約型スイッチ装置４００と対応する構成、同じ効果については説明を簡略化するか又は省略する。
【０２５６】
［第２実施例］
図３１（Ａ）は作動条件制約型スイッチ装置４００Ａを示す。作動条件制約型スイッチ装置４００Ａは、第１の作動条件制約型スイッチ４１０−１Ａと第２の作動条件制約型スイッチ４１０−２Ａとよりなる構成であり、図２９（Ａ）に示す作動条件制約型スイッチ装置４００に比べてＸ１−Ｘ２方向の長さ寸法が短くなって小型となっている。５２０Ａは電子機器であり、電子機器本体５１０Ａと電池パック５００Ａよりなる。
【０２５７】
第１の作動条件制約型スイッチ４１０−１Ａは、図３２（Ｂ）に併せて示すように、Ｘ２側からＸ１側に、順に、第１のスイッチ部４１１−１Ａ、第１の永久磁石片４２１−１Ａ、第２のスイッチ部４１２−１Ａが並んでモールドベース４１４−１Ａ上に固定してあり、これらがモールドカバー４２８−１Ａによって覆われている構成である。第１、第２のスイッチ部４１１−１Ａ、４１２−１Ａは、第１の永久磁石片４２１−１Ａの下側を延在する接続部材４１３−１Ａを間に介して直列に接続されている。第１の永久磁石片４２１−１Ａは、上面がＳ極、下面がＮ極である。Ｘ１側に、第１のスイッチ部４１１−１Ａと接続されている実装用の端子部４２６−１Ａを有し、Ｘ２側に、第２のスイッチ部４１２−１Ａと接続されている実装用の端子部４２７−１Ａを有する。
【０２５８】
第２の作動条件制約型スイッチ４１０−２Ａは、図３２（Ａ）に併せて示すように、Ｘ２側からＸ１側に、順に、第１の永久磁石片４２１−２Ａ、第１のスイッチ部４１１−２Ａ、第２の永久磁石片４２２−２Ａが並んでおり、これらがモールドカバー４２８−２Ａによって覆われている構成である。第１、第２の永久磁石片４２１−２Ａ、４２２−２Ａは、共にモールドカバー４２８−２Ａ側がＮ極、これと反対側がＳ極である。第１のスイッチ部４１１−２ＡからＸ１方向及びＸ２方向に、例えば銅合金製の細長片４２５−２Ａ、４２５−３Ａが夫々第１、第２の永久磁石片４２１−２Ａ、４２２−２Ａの下側を通って延びており、先端に実装用の端子部４２６−２Ａ、４２７−２Ａを有する。
【０２５９】
図３１（Ａ）に示すように、第１の作動条件制約型スイッチ４１０−１Ａは電池パック５００Ａ内に組み込まれており、バッテリ５０１及び端子５０２，５０３と接続されている。第２の作動条件制約型スイッチ４１０−２Ａは電子機器本体５１０内に組み込まれており、例えば液晶装置５１１及び端子５１３，５１４と接続されている。
【０２６０】
次に、正規の電池パック５００Ａを電子機器本体５１０Ａに装着した場合の動作、及び不正な電池パックを電子機器本体５１０Ａに装着した場合の動作について説明する。
【０２６１】
（１）正規の電池パック５００Ａを電子機器本体５１０Ａに装着した場合：
図３１（Ｂ）に示すように、第１の作動条件制約型スイッチ４１０−１Ａの第１の永久磁石片４２１−１Ａが第２の作動条件制約型スイッチ４１０−２Ａの第１のスイッチ部４１１−２Ａと対向して、第１のスイッチ部４１１−２Ａがオンとされる。また、第１の作動条件制約型スイッチ４１０−１Ａの第１、第２のスイッチ部４１１−１Ａ，４１２−１Ａが夫々第２の作動条件制約型スイッチ４１０−２Ａの第１、第２の永久磁石片４２１−２Ａ、４２２−２Ａと対向して、第１、第２のスイッチ部４１１−１Ａ，４１２−１Ａがオンとされる。
【０２６２】
これにより、電池パック５００Ａについては、装着された電子機器が正規の電子機器本体５１０Ａであることを認識して、端子５０２，５０３に電圧がかかるようにされる。電子機器本体５１０Ａについては、装着された電池パックが正規の電池パック５００Ａであることを認識して、液晶装置５１１と端子５１３との間に回路を形成するようにされ、電子機器本体５１０Ａは動作可能状態となる。
【０２６３】
（２）不正な電池パックを電子機器本体５１０Ａに装着した場合：
不正な電池パックは、正規の電池パック５００Ａと同様に電子機器本体５１０Ａに装着され、端子５１３，５１４に電圧が印加される。しかし、スイッチ部４１２−２Ｂはオンとはされず、オフのままであり、液晶装置５１１と端子５１３との間に回路は形成されていない。よって、電子機器本体５１０Ａは、不正な電池パックからの電圧の供給を拒否する。
【０２６４】
ここで、第１の作動条件制約型スイッチ４１０−１Ａは、Ｘ１−Ｘ２方向上、中央に、第１の永久磁石片４２１−１Ａ、このＸ２側に、第１のスイッチ部４１１−１Ａ、Ｘ１側に、第２のスイッチ部４１２−１Ａを有する構成、即ち、第１の永久磁石片４２１−１Ａに関して略左右対称の構造である。第２の作動条件制約型スイッチ４１０−２Ａは、Ｘ１−Ｘ２方向上、中央に、第１のスイッチ部４１１−２Ａ、このＸ２側に、第１の永久磁石片４２１−２Ａ、Ｘ１側に、第２の永久磁石片４２２−２Ａを有する構成、即ち、第１のスイッチ部４１１−２Ａに関して略左右対称の構造である。よって、例えば、第１の作動条件制約型スイッチ４１０−１ＡをＸ１−Ｘ２方向上逆の向きに配置しても、正常に動作する。即ち、第１の作動条件制約型スイッチ４１０−１Ａ及び第２の作動条件制約型スイッチ４１０−２Ａは、Ｘ１−Ｘ２方向上の向きの制約はなく、Ｘ１−Ｘ２方向上どのような向きに定めても、第１の作動条件制約型スイッチ４１０−１Ａ及び第２の作動条件制約型スイッチ４１０−２Ａは前記と同様に動作する。よって、第１の作動条件制約型スイッチ４１０−１Ａ及び第２の作動条件制約型スイッチ４１０−２Ａは、Ｘ１−Ｘ２方向上の向きを気にしないで電池パック５００Ａ及び電子機器本体５１０Ａに組み込むことが可能であり、組み込み作業が簡単である。
【０２６５】
［第３実施例］
図３３（Ａ）は作動条件制約型スイッチ装置４００Ｂを示す。作動条件制約型スイッチ装置４００Ｂは、第１の作動条件制約型スイッチ４１０−１Ｂと第２の作動条件制約型スイッチ４１０−２Ｂとよりなる構成であり、第２実施例と比較して、第１の作動条件制約型スイッチ４１０−１Ｂの外形寸法は同じであり、第１の永久磁石片４２１−１Ｂのサイズが大きい構成である。５２０Ｂは電子機器であり、電子機器本体５１０Ｂと電池パック５００Ｂとよりなる。
【０２６６】
第１の作動条件制約型スイッチ４１０−１Ｂは、図３４（Ｂ）に併せて示すように、Ｘ２側からＸ１側に、順に、第１の永久磁石片４２１−１Ｂ、第１のスイッチ部４１１−１Ｂ、第２のスイッチ部４１２−１Ｂが並んでおり、これらがモールドカバー４２８−１Ｂによって覆われている構成である。第１、第２のスイッチ部４１１−１Ｂ、４１２−１Ｂは接続部材４１３−１Ｂを間に介して直列に接続されている。第１の永久磁石片４２１−１ＢはＺ１−Ｚ２方向の寸法ｚ２は、上記第２実施例の第１の作動条件制約型スイッチ４１０−１Ａ内の対応する第１の永久磁石片４２１−１Ａの寸法ｚ１より長い。第１の永久磁石片４２１−１Ｂは接続部材４１３−１Ｂから離れた位置に配置してあるからである。第１の永久磁石片４２１−１Ｂのサイズが上記第１の永久磁石片４２１−１Ａのサイズより大きいため、第１の永久磁石片４２１−１Ｂは上記第１の永久磁石片４２１−１Ａより強い磁界を発生する。第１の永久磁石片４２１−１Ｂのサイズは、後述する第１、第２の永久磁石片４２１−２Ｂ、４２２−２Ｂのサイズと同じである。
【０２６７】
第２の作動条件制約型スイッチ４１０−２Ｂは、図３４（Ａ）に併せて示すように、Ｘ２側からＸ１側に、順に、第１のスイッチ部４１１−２Ｂ、第１の永久磁石片４２１−２Ｂ、第２の永久磁石片４２２−２Ｂが並んでおり、これらがモールドカバー４２８−２Ｂによって覆われている構成である。第１のスイッチ部４１１−２ＢからＸ１方向に、例えば銅合金製の細長片４２５−４Ｂが第１、第２の永久磁石片４２１−２Ｂ、４２２−２Ｂの下側を通って延びている。
【０２６８】
図３３（Ａ）に示すように、第１の作動条件制約型スイッチ４１０−１Ｂは電池パック５００Ｂ内に組み込まれており、バッテリ５０１及び端子５０２，５０３と接続されている。第２の作動条件制約型スイッチ４１０−２Ｂは電子機器本体５１０Ｂ内に組み込まれており、例えば液晶装置５１１及び端子５１３，５１４と接続されている。
【０２６９】
次に、正規の電池パック５００Ｂを電子機器本体５１０Ｂに装着した場合の動作、及び不正な電池パックを電子機器本体５１０Ｂに装着した場合の動作について説明する。
【０２７０】
（１）正規の電池パック５００Ｂを電子機器本体５１０Ｂに装着した場合：
図３３（Ｂ）に示すように、第１の作動条件制約型スイッチ４１０−１Ｂの第１の永久磁石片４２１−１Ｂが第２の作動条件制約型スイッチ４１０−２Ｂの第１のスイッチ部４１１−２Ｂと対向して、第１のスイッチ部４１１−２Ｂがオンとされる。また、第１の作動条件制約型スイッチ４１０−１Ｂの第１、第２のスイッチ部４１１−１Ｂ，４１２−１Ｂが夫々第２の作動条件制約型スイッチ４１０−２Ｂの第１、第２の永久磁石片４２１−２Ｂ、４２２−２Ｂと対向して、第１、第２のスイッチ部４１１−１Ｂ，４１２−１Ｂがオンとされる。
【０２７１】
これにより、電池パック５００Ｂについては、装着された電子機器が正規の電子機器本体５１０Ｂであることを認識して、端子５０２，５０３に電圧がかかるようにされる。電子機器本体５１０Ｂについては、装着された電池パックが正規の電池パック５００Ｂであることを認識して、液晶装置５１１と端子５１３との間に回路を形成するようにされ、電子機器本体５１０Ｂは動作可能状態となる。
【０２７２】
ここで、第１の永久磁石片４２１−１Ｂのサイズが大きくなっており、第１のスイッチ部４１１−２Ｂは前記の第２実施例の対応する第１の永久磁石片４２１−１Ａが対向する場合に比べてより確実にオンとされる。
【０２７３】
（２）不正な電池パックを電子機器本体５１０Ｂに装着した場合：
不正な電池パックは、正規の電池パック５００Ｂと同様に電子機器本体５１０Ｂに装着され、端子５１３，５１４に電圧が印加される。しかし、スイッチ部４１２−２Ａはオンとはされず、オフのままであり、液晶装置５１１と端子５１３との間に回路は形成されていない。よって、電子機器本体５１０Ｂは、不正な電池パックからの電圧の供給を拒否する。
【０２７４】
［第４実施例］
図３５（Ａ）は作動条件制約型スイッチ装置４００Ｃを示す。作動条件制約型スイッチ装置４００Ｃは、第１の作動条件制約型スイッチ４１０−１Ｃと第２の作動条件制約型スイッチ４１０−２Ｃとよりなる構成であり、上記の第３実施例に比べて、永久磁石片４２１−１Ｃ、４２１−２Ｃ、４２２−２Ｃのサイズが大きい構成である。５２０Ｃは電子機器であり、電子機器本体５１０Ｃと電池パック５００Ｃとよりなる。
【０２７５】
第１の作動条件制約型スイッチ４１０−１Ｃは、図３６（Ａ）、（Ｂ）に併せて示すように、Ｘ２側からＸ１側に、順に、第１の永久磁石片４２１−１Ｃ、第１のスイッチ部４１１−１Ｃ、第２のスイッチ部４１２−１Ｃが並んでおり、これらがモールドカバー４２８−１Ｃによって覆われている構成である。第１、第２のスイッチ部４１１−１Ｃ、４１２−１Ｃは接続部材４１３−１Ｃを間に介して直列に接続されている。第１、第２のスイッチ部４１１−１Ｃ、４１２−１Ｃ及び接続部材４１３−１Ｃは、インサートモールドベース４３０上に支持されている。実装用の端子部４２６−１Ｃは、第１のスイッチ部４１１−１ＣのＸ２側の端からＹ１側の側面に突き出し、Ｚ２方向に曲げ、更にＹ２方向に曲げてインサートモールドベース４３０の背面であるＺ２側の面に露出するように形成してある。別の実装用の端子部４２７−１Ｃは、第２のスイッチ部４１１−１ＣのＸ１側の端からＹ２側の側面に突き出し、Ｚ２方向に曲げ、更にＹ１方向に曲げてインサートモールドベース４３０の背面であるＺ２側の面に露出するように形成してある。
【０２７６】
ここで、端子部４２１−１Ｃはインサートモールドベース４３０の側面に突き出して背面側に回りこんでいるため、永久磁石片４２１−１Ｃは、端子部４２６−１Ｃによってサイズを制限されていず、よって、寸法ｚ２より長い寸法ｚ１０、寸法ｘ２より長い寸法ｘ１０を有し、永久磁石片４２１−１Ｂより大きいサイズを有する。
【０２７７】
第２の作動条件制約型スイッチ４１０−２Ｂは、図３７（Ａ）、（Ｂ）に併せて示すように、Ｘ２側からＸ１側に、順に、第１のスイッチ部４１１−２Ｃ、第１の永久磁石片４２１−２Ｃ、第２の永久磁石片４２２−２Ｃが並んでおり、これらがモールドカバー４２８−２Ｃによって覆われている構成である。第１のスイッチ部４１１−２Ｃはインサートモールドベース４３１上に支持されている。実装用の端子部４２６−２Ｃは、第１のスイッチ部４１１−１ＣのＸ２側の端からＹ２側の側面に突き出し、Ｚ１方向に曲げ、更にＹ１方向に曲げてインサートモールドベース４３１の背面であるＺ２側の面に露出するように形成してある。別の実装用の端子部４２７−２Ｃは、第１のスイッチ部４１１−１ＣのＸ１側の端からＹ１側の側面に突き出し、Ｚ１方向に曲げ、更にＹ１方向に曲げてインサートモールドベース４３１の背面であるＺ２側の面に露出するように形成してある。
【０２７８】
ここで、端子部４２７−２Ｃはインサートモールドベース４３１の側面に突き出して背面側に回りこんでいるため、第１、第２の永久磁石片４２１−２Ｃ、４２２−２Ｃは、端子部４２７−２Ｃによってサイズを制限されていず、よって、寸法ｚ２より長い寸法ｚ１０、寸法ｘ２より長い寸法ｘ１０を有し、永久磁石片４２１−１Ｂより大きいサイズを有する。
【０２７９】
図３５（Ａ）に示すように、第１の作動条件制約型スイッチ４１０−１Ｃは電池パック５００Ｃ内に組み込まれており、バッテリ５０１及び端子５０２，５０３と接続されている。第２の作動条件制約型スイッチ４１０−２Ｃは電子機器本体５１０Ｃ内に組み込まれており、例えば液晶装置５１１及び端子５１３，５１４と接続されている。
【０２８０】
次に、正規の電池パック５００Ｃを電子機器本体５１０Ｃに装着した場合の動作、及び不正な電池パックを電子機器本体５１０Ｃに装着した場合の動作について説明する。
【０２８１】
（１）正規の電池パック５００Ｃを電子機器本体５１０Ｃに装着した場合：
図３５（Ｂ）に示すように、第１の作動条件制約型スイッチ４１０−１Ｃの第１の永久磁石片４２１−１Ｃが第２の作動条件制約型スイッチ４１０−２Ｃの第１のスイッチ部４１１−２Ｃと対向して、第１のスイッチ部４１１−２Ｃがオンとされる。また、第１の作動条件制約型スイッチ４１０−１Ｃの第１、第２のスイッチ部４１１−１Ｃ，４１２−１Ｃが夫々第２の作動条件制約型スイッチ４１０−２Ｃの第１、第２の永久磁石片４２１−２Ｃ、４２２−２Ｃと対向して、第１、第２のスイッチ部４１１−１Ｃ，４１２−１Ｃがオンとされる。
【０２８２】
これにより、電池パック５００Ｃについては、装着された電子機器が正規の電子機器本体５１０であることを認識して、端子５０２，５０３に電圧がかかるようにされる。電子機器本体５１０Ｃについては、装着された電池パックが正規の電池パック５００Ｃであることを認識して、液晶装置５１１と端子５１３との間に回路を形成するようにされ、電子機器本体５１０Ｃは動作可能状態となる。
【０２８３】
ここで、第１の永久磁石片４２１−１Ｃのサイズが大きくなっており、第１のスイッチ部４１１−２Ｃは前記の第３実施例の対応する第１の永久磁石片４２１−１Ｂが対向する場合に比べてより確実にオンとされる。また、第１、第２の永久磁石片４２１−２Ｃ、４２２−２Ｃのサイズも大きくなっており、第１、第２のスイッチ部４１１−１Ｃ，４１２−１Ｃは前記の第３実施例の対応する第１、第２の永久磁石片４２１−２Ｂ、４２２−２Ｂが対向する場合に比べてより確実にオンとされる。
【０２８４】
（２）不正な電池パックを電子機器本体５１０Ｃに装着した場合：
不正な電池パックは、正規の電池パック５００Ｃと同様に電子機器本体５１０Ｃに装着され、端子５１３，５１４に電圧が印加される。しかし、スイッチ部４１２−２Ａはオンとはされず、オフのままであり、液晶装置５１１と端子５１３との間に回路は形成されていない。よって、電子機器本体５１０Ｃは、不正な電池パックからの電圧の供給を拒否する。
【０２８５】
［第５実施例］
図３８（Ａ）は作動条件制約型スイッチ装置４００Ｄを示す。５２０Ｄは電子機器であり、電子機器本体５１０Ｄと電池パック５００Ｄとよりなる。
【０２８６】
作動条件制約型スイッチ装置４００Ｄは、第１の作動条件制約型スイッチ４１０−１Ｄと第２の作動条件制約型スイッチ４１０−２Ｄとよりなる構成である。第１の作動条件制約型スイッチ４１０−１Ｄは、作動条件制約型スイッチ１６０−１と外部磁界発生ユニット３００−１とよりなる。第２の作動条件制約型スイッチ４１０−１Ｄは、作動条件制約型スイッチ１６０−２と外部磁界発生ユニット３００−２とよりなる。
【０２８７】
作動条件制約型スイッチ１６０−１、１６０−２は、図１７及び図１８に示す構造を有する。外部磁界発生ユニット３００−１、３００−２は、図２８に示す構造を有する。この詳細な説明は省略する。
【０２８８】
図３８（Ａ）、（Ｂ）に示すように、作動条件制約型スイッチ１６０−１と外部磁界発生ユニット３００−１とは、電池パック５００Ｄ内に、Ｘ１−Ｘ２方向に整列して、作動条件制約型スイッチ１６０−２と外部磁界発生ユニット３００−２とは、電子機器本体５１０Ｄ内に、Ｘ１−Ｘ２方向に整列して、且つ、電池パック５００Ｄが電子機器本体５１０Ｄに装着されたときに、作動条件制約型スイッチ１６０−１が外部磁界発生ユニット３００−２と対向し、外部磁界発生ユニット３００−１が作動条件制約型スイッチ１６０−２と対向する配置で組み込まれている。作動条件制約型スイッチ１６０−１は、バッテリ５０１及び端子５０２，５０３と接続されている。作動条件制約型スイッチ１６０−２は、例えば液晶装置５１１及び端子５１３，５１４と接続されている。
【０２８９】
次に、正規の電池パック５００Ｄを電子機器本体５１０Ｄに装着した場合の動作、及び不正な電池パックを電子機器本体５１０Ｄに装着した場合の動作について説明する。
【０２９０】
（１）正規の電池パック５００Ｄを電子機器本体５１０Ｄに装着した場合：
図３８（Ｂ）に示すように、作動条件制約型スイッチ１６０−１内の第１、第２のスイッチ部１６１−１，１６２−１が夫々外部磁界発生ユニット３００−２内の第１、第２の永久磁石３０１−２，３０２−２と近接対向してオンとされる。また、外部磁界発生ユニット３００−１内の第１、第２の永久磁石３０１−１，３０２−１が夫々作動条件制約型スイッチ１６０−２内の第１、第２のスイッチ部１６１−２，１６２−２と近接対向して、第１、第２のスイッチ部１６１−２，１６２−２がオンとされる。
【０２９１】
これにより、電池パック５００Ｄについては、装着された電子機器が正規の電子機器本体５１０であることを認識して、端子５０２，５０３に電圧がかかるようにされる。電子機器本体５１０Ｄについては、装着された電池パックが正規の電池パック５００Ｄであることを認識して、液晶装置５１１と端子５１３との間に回路を形成するようにされ、電子機器本体５１０Ｄは動作可能状態となる。
【０２９２】
（２）不正な電池パックを電子機器本体５１０Ｄに装着した場合：
不正な電池パックは、正規の電池パック５００Ｄと同様に電子機器本体５１０Ｄに装着され、端子５１３，５１４に電圧が印加される。しかし、作動条件制約型スイッチ１６０−２内の第１、第２のスイッチ部１６１−２，１６２−２はオンとはされず、オフのままであり、液晶装置５１１と端子５１３との間に回路は形成されていない。よって、電子機器本体５１０Ｄは、不正な電池パックからの電圧の供給を拒否する。
【０２９３】
【発明の効果】
以上説明したように、請求項１の発明は、外部から磁界を作用されて作動するスイッチ部を複数有し、該複数のスイッチ部が直列に接続されており、各スイッチ部に外部磁界が個別に且つ同時に作用した場合にのみ、全部のスイッチ部が作動する構成の作動条件制約型スイッチにおいて、細長い形状のベース上に、複数のスイッチ部が、電気的には導体であって磁気的には非磁性体である接続部材でもって直列に接続されて、直線上に整列しており、前記各スイッチ部が、前記ベース上に固定された一対のリード片よりなる構成であり、全体がカバーによって覆われており、両端に実装用の端子部を有する構成としたものであるため、作動条件を各スイッチ部に外部磁界が個別に且つ同時に作用した場合に制約されたものであって、小型に構成されたものとなり、例えば、磁界を発生する永久磁石の配置を認識する機能及びこの永久磁石の配置を認証する機能を有し、セキュリティが必要とされる場所に適用して効果を発揮することが出来る。
【０２９５】
請求項２の発明は、請求項１記載のスイッチにおいて、上記の各スイッチ部は、そのリード片に磁束が出入りする位置を定める磁極片が設けてある構成としたものであるため、作動条件に磁束が磁極片に丁度入ることが加わり、請求項２記載のスイッチの場合に比べて作動条件を更に制約することが出来る。また、磁束が磁極片から出入りすることにより、外部磁界がスイッチ部の作動に有効に利用され、磁力の弱い永久磁石でも足りるように出来る。
【０２９６】
請求項３の発明は、細長い形状のベースと、該ベース上に対をなすように固定されたリード片よりなるスイッチ部と、該ベース上に、該スイッチ部に対向して設けてあり、対をなすリード片のうち一つのリード片の先端を磁気吸引させて他方のリード片から離間した位置に保持させる継鉄・永久磁石組立体とよりなり、上記一つのリード片の先端にそれまでとは逆の磁極を出現させる外部磁界が作用した場合にのみ、上記スイッチ部のリード片同士が接触する構成としたものであるため、作動条件を、一つのリード片の先端にそれまでとは逆の磁極を出現させる外部磁界が作用した場合に制約することが出来る。また、継鉄・永久磁石組立体は、リード片の先端を磁気吸引させており、衝撃が作用してもリード片が変位しないように出来、衝撃が原因でスイッチが瞬間的にでも作動した状態となってしまうことが発生しないように出来る。
【０２９７】
請求項４の発明は、請求項３記載のスイッチにおいて、上記のスイッチ部は、その各リード片に、磁束が出入りする位置を定める磁極片が設けた構成としたものであるため、作動条件に磁束が磁極片に丁度入ることが加わり、請求項４記載のスイッチの場合に比べて作動条件を更に制約することが出来る。また、磁束が磁極片から出入りすることにより、外部磁界がスイッチ部の作動に有効に利用され、磁力の弱い永久磁石でも足りるように出来る。
【０２９８】
請求項５の発明は、外部から磁界を作用されて作動するスイッチ部を複数有し、該複数のスイッチ部が直列に接続されており、各スイッチ部に外部磁界が個別に且つ同時に作用した場合にのみ、全部のスイッチ部が作動する構成の作動条件制約型スイッチにおいて、細長い形状のベース上に、複数のスイッチ部が、電気的には導体であって磁気的には非磁性体である接続部材でもって直列に接続されて、直線上に整列しており、且つ、前記ベース上に、各スイッチ部に対向して設けてあり、対をなすリード片のうち一つのリード片の先端を磁気吸引させて他方のリード片から離間した位置に保持させる複数の継鉄・永久磁石組立体を有する構成であり、各スイッチ部に、上記一つのリード片の先端にそれまでとは逆の磁極が現れるように外部磁界が個別に且つ同時に作用した場合にのみ、全部のスイッチ部が作動する構成としたものであるため、作動条件を、磁束が磁極片を通って、一つのリード片の先端にそれまでとは逆の磁極を出現させる外部磁界が、各スイッチ部に個別に且つ同時に作用した場合に作用した場合に制約することが出来る。また、継鉄・永久磁石組立体は、リード片の先端を磁気吸引させており、衝撃が作用してもリード片が変位しないように出来、衝撃が原因でスイッチが瞬間的にでも作動した状態となってしまうことが発生しないように出来る。
【０２９９】
請求項６の発明は、請求項５記載のスイッチにおいて、上記複数の継鉄・永久磁石組立体は、全部のスイッチ部についてその一つのリード片の先端に対向する磁極が同じである構成としたものであるため、作動条件を、全部スイッチ部に作用する外部磁界が同じ向きである場合に制約することが出来る。
【０３００】
請求項７の発明は、請求項５記載のスイッチにおいて、上記複数の継鉄・永久磁石組立体は、スイッチ部毎にその一つのリード片の先端に対向する磁極が異なる構成としたものであるため、作動条件を、スイッチ部毎に、外部磁界が異なる向きである場合に制約することが出来る。
【０３０１】
請求項８の発明は、一対のリード片よりなる第１及び第２のスイッチ部が、電気的には導体であって磁気的には非磁性体である接続部材でもって直列に接続されてモールドベース本体上に配置してあり、該モールドベース本体の両端に端子部材を有する構成であり、各スイッチ部に所定の外部磁界が個別に且つ同時に作用した場合にのみ、第１及び第２のスイッチ部が作動する構成である作動条件制約型スイッチであって、上記接続部材及び上記端子部材は、厚さが異なり、モールドベース本体内に埋め込まれており、上記リード片の基部が上記接続部材及び上記端子部材に固定してある構成としたものであるため、接続部材と端子部材との厚さの差が、スイッチ部の隙間の寸法を決定し、よって、スイッチ部の隙間の寸法を精度良く定めることが出来る。
【０３０２】
請求項９の発明は、請求項８記載の作動条件制約型スイッチにおいて、上記接続部材及び上記端子部材は、モールドベース本体内にインサート成形された厚さが相違する部分を有する一つの板部材のうちの別々の部分であって厚さが異なる別々の部分よりなる構成としたものであるため、厚さが相違する接続部材と端子部材とを安定して得ることが出来、よって、量産において、スイッチ部の隙間の寸法を精度良く且つ安定に定めることが出来る。
【０３０３】
請求項１０の発明は、一対のリード片よりなる第１及び第２のスイッチ部が、電気的には導体であって磁気的には非磁性体である接続部材でもって直列に接続されており、両端に端子部材を有する構成であり、各スイッチ部に所定の外部磁界が個別に且つ同時に作用した場合にのみ、第１及び第２のスイッチ部が作動する構成である作動条件制約型スイッチであって、インサートモールドベース上に上記第１及び第２のスイッチ部を有するスイッチ組立体と、該スイッチ組立体を覆うカバーとよりなり、該カバーは、所定の厚さの天板部を有する構成としたものであるため、天板部の厚さによって、第１,第２のスイッチ部が作動する外部磁界の強さを決めることが可能となる。
【０３０４】
請求項１１の発明は、一対のリード片よりなる第１及び第２のスイッチ部が、電気的には導体であって磁気的には非磁性体である接続部材でもって直列に接続されており、両端に端子部材を有する構成であり、各スイッチ部に所定の外部磁界が個別に且つ同時に作用した場合にのみ、第１及び第２のスイッチ部が作動する構成である作動条件制約型スイッチであって、上記第１スイッチ部と第２のスイッチ部は、その長手方向に対して直交する方向にずれている構成としたものであるため、第１スイッチ部と第２のスイッチ部とがずれないで整列している構成に比べて、接続部材の個所における第１スイッチ部と第２のスイッチ部との間の磁気抵抗が高くなり、第１スイッチ部と第２のスイッチ部との間の独立性を高めることが出来、これによって、一方のスイッチ部の作動に引きずられて他方のスイッチ部が作動してしまう誤作動の発生をより確実に防止することが出来る。
【０３０５】
請求項１２の発明は、リード片よりなる第１及び第２のスイッチ部が、電気的には導体であって磁気的には非磁性体である接続部材でもって直列に接続されている構成である作動条件制約型スイッチの各スイッチ部に外部磁界を作用させる外部磁界発生ユニットであって、上記第１のスイッチ部に作用させる外部磁界を発生する第１の永久磁石及び上記第２のスイッチ部に作用させる外部磁界を発生する第２の永久磁石を、その磁極の並びの方向をリード片の長手方向に対して垂直の方向に定めた構成としたものであるため、磁極の並びの方向がリード片の長手方向に対して垂直の方向である場合に比べて、第１及び第２の永久磁石の間での磁気的干渉が起こり難く、第１及び第２の永久磁石のサイズを小さく出来、よって、外部磁界発生ユニットを小型に出来る。
【０３０６】
請求項１３の発明は、リード片よりなる第１及び第２のスイッチ部が、電気的には導体であって磁気的には非磁性体である接続部材でもって直列に接続されている構成である作動条件制約型スイッチの各スイッチ部に外部磁界を作用させる外部磁界発生ユニットであって、上記第１のスイッチ部に作用させる外部磁界を発生する第１の永久磁石及び上記第２のスイッチ部に作用させる外部磁界を発生する第２の永久磁石を、その磁極の並びの方向をリード片の長手方向に対して垂直の方向であって、且つ極性の配置が同じであるように定め、且つ、上記第１の永久磁石と第２の永久磁石との間の位置に、その磁極の並びの方向をリード片の長手方向に対して垂直の方向であって、且つ極性の配置が上記の第１、第２の永久磁石の極性の配置とは逆である第３の永久磁石を有する構成としたものであるため、磁極の並びの方向がリード片の長手方向に対して垂直の方向である場合に比べて、第１及び第２の永久磁石の間での磁気的干渉が起こり難く、第１及び第２の永久磁石のサイズを小さく出来、よって、外部磁界発生ユニットを小型に出来る。また、第３の永久磁石を有することによって、磁束の経路が短くなって、磁束が第１及び第２のスイッチ部に効率良く作用するように出来る。よって、第１、第２及び第３の永久磁石のサイズを更に小さく出来、よって、外部磁界発生ユニットを更に小型に出来る。
【０３０７】
請求項１４の発明は、リード片よりなる第１及び第２のスイッチ部が、電気的には導体であって磁気的には非磁性体である接続部材でもって直列に接続されている構成である作動条件制約型スイッチの各スイッチ部に外部磁界を作用させる外部磁界発生ユニットであって、上記第１のスイッチ部に対向する部分及び上記第２のスイッチ部に対向する部分が同じ磁極であり、上記第１のスイッチ部と第２のスイッチ部との間の位置に対向する部分が上記の磁極とは異なる磁極である単一の永久磁石よりなる構成としたものであるため、２つの永久磁石を設けた構成に比べて、外部磁界発生ユニットを小型に出来る。
【０３０８】
請求項１５の発明は、請求項１乃至１１のうち何れか一項の作動条件制約型スイッチと、請求項１２乃至１４のうち何れか一項の外部磁界発生ユニットとからなる構成としたものであるため、小型の作動条件制約型スイッチ装置を実現出来る。
【０３０９】
請求項１６の発明は、一対のリード片よりなる第１及び第２のスイッチ部が、電気的には導体であって磁気的には非磁性体である接続部材でもって直列に接続されており、両端に端子部材を有する構成であり、且つ、上記第１のスイッチ部と第２のスイッチ部との間に、磁極の並びの方向が第１及び第２のスイッチ部の整列方向に垂直である永久磁石を有する構成である作動条件制約型スイッチと、上記第１のスイッチ部に作用させる外部磁界を発生する第１の永久磁石及び上記第２のスイッチ部に作用させる外部磁界を発生する第２の永久磁石を、その磁極の並びの方向をリード片の長手方向に対して垂直の方向に定めた構成である外部磁界発生ユニットとからなる構成としたものであるため、小型の作動条件制約型スイッチ装置を実現出来、また、第１の永久磁石の極性の配置及び第２の永久磁石の極性の配置が作動条件制約型スイッチ内に組み込まれた永久磁石の磁極によって定まるようになり、よって、作動条件をより制約することが出来る。
【０３１０】
請求項１７の発明は、第１の作動条件制約型スイッチと第２の作動条件制約型スイッチとよりなる作動条件制約型スイッチ装置であって、第１の作動条件制約型スイッチは、リード片よりなるスイッチ部と、永久磁石とを有し、第２の作動条件制約型スイッチは、リード片よりなるスイッチ部と、永久磁石とを有し、第１の作動条件制約型スイッチと第２の作動条件制約型スイッチとは、第１の作動条件制約型スイッチの永久磁石と第２の作動条件制約型スイッチのスイッチ部とが対向し、第１の作動条件制約型スイッチのスイッチ部と第２の作動条件制約型スイッチの永久磁石とが対向する関係となる構成としたものであるため、第１の作動条件制約型スイッチは、接近した対象物が第２の作動条件制約型スイッチであるか否かを認識し得、第２の作動条件制約型スイッチは、接近した対象物が第１の作動条件制約型スイッチであるか否かを認識し得、よって、第１の作動条件制約型スイッチと第２の作動条件制約型スイッチとは相互に認証する機能を有するようにすることが出来る。
【０３１１】
請求項１８の発明は、請求項１８記載の作動条件制約型スイッチ装置において、第１の作動条件制約型スイッチ及び第２の作動条件制約型スイッチが同じものよりなる構成としたものであるため、同じ構成の作動条件制約型スイッチを製作するだけでよく、二種類の作動条件制約型スイッチを製作する場合に比べて、安価に出来る。
【０３１２】
請求項１９の発明は、請求項１７記載の作動条件制約型スイッチ装置において、第１の作動条件制約型スイッチは、スイッチ部が、第１及び第２のスイッチ部が電気的には導体であって磁気的には非磁性体である接続部材でもって直列に接続されている構成であり、永久磁石は、第１の永久磁石と第２の永久磁石とを有する構成であり、第２の作動条件制約型スイッチは、スイッチ部が、第１及び第２のスイッチ部が電気的には導体であって磁気的には非磁性体である接続部材でもって直列に接続されている構成であり、永久磁石は、第１の永久磁石と第２の永久磁石とを有する構成であり、第１の作動条件制約型スイッチと第２の作動条件制約型スイッチとは、第１の作動条件制約型スイッチの第１,第２の永久磁石と第２の作動条件制約型スイッチの第１及び第２のスイッチ部とが夫々対向し、第１の作動条件制約型スイッチの第１及び第２のスイッチ部と第２の作動条件制約型スイッチの第１,第２の永久磁石とが夫々対向する関係となる構成としたものであるため、第１の作動条件制約型スイッチは、接近した対象物が第２の作動条件制約型スイッチであるか否かを認識し得、第２の作動条件制約型スイッチは、接近した対象物が第１の作動条件制約型スイッチであるか否かを認識し得、即ち、第１の作動条件制約型スイッチと第２の作動条件制約型スイッチとは相互に認証する機能を有するようにすることが出来る。
【０３１３】
請求項２０の発明は、請求項１７記載の作動条件制約型スイッチ装置において、第１の作動条件制約型スイッチは、スイッチ部が、第１のスイッチ部よりなり、永久磁石は、第１のスイッチ部の両側に、第１の永久磁石と第２の永久磁石とを有する構成であり、第２の作動条件制約型スイッチは、スイッチ部が、第１及び第２のスイッチ部が電気的には導体であって磁気的には非磁性体である接続部材でもって直列に接続されている構成であり、永久磁石は、第１及び第２のスイッチ部の間に配置された第１の永久磁石よりなる構成であり、第１の作動条件制約型スイッチと第２の作動条件制約型スイッチとは、第１の作動条件制約型スイッチの第１,第２の永久磁石と第２の作動条件制約型スイッチの第１及び第２のスイッチ部とが夫々対向し、第１の作動条件制約型スイッチの第１のスイッチ部と第２の作動条件制約型スイッチの第１の永久磁石とが対向する関係となる構成としたものであるため、第１の作動条件制約型スイッチは、接近した対象物が第２の作動条件制約型スイッチであるか否かを認識し得、第２の作動条件制約型スイッチは、接近した対象物が第１の作動条件制約型スイッチであるか否かを認識し得、よって、第１の作動条件制約型スイッチと第２の作動条件制約型スイッチとは相互に認証する機能を有するように出来る。また、請求項２０の発明に比べて小型に出来る。また、第１、第２の作動条件制約型スイッチは、共に、左右対称の構造であるため、第１、第２の作動条件制約型スイッチの取り付けの向きを決める必要がなく、向きの間違いが起きず、第１、第２の作動条件制約型スイッチの電子装置等への取り付けがし易いように出来る。
【０３１４】
請求項２１の発明は、請求項１７記載の作動条件制約型スイッチ装置において、第１の作動条件制約型スイッチは、スイッチ部が、第１のスイッチ部よりなり、永久磁石は、第１のスイッチ部の片側に、第１の永久磁石と第２の永久磁石とを有する構成であり、第２の作動条件制約型スイッチは、永久磁石は、第１の永久磁石よりなり、スイッチ部が、第１の永久磁石の片側に、第１及び第２のスイッチ部が電気的には導体であって磁気的には非磁性体である接続部材でもって直列に接続されている構成であり、第１の作動条件制約型スイッチと第２の作動条件制約型スイッチとは、第１の作動条件制約型スイッチの第１,第２の永久磁石と第２の作動条件制約型スイッチの第１及び第２のスイッチ部とが夫々対向し、第１の作動条件制約型スイッチの第１のスイッチ部と第２の作動条件制約型スイッチの第１の永久磁石とが対向する関係となる構成としたものであるため、第１の作動条件制約型スイッチは、接近した対象物が第２の作動条件制約型スイッチであるか否かを認識し得、第２の作動条件制約型スイッチは、接近した対象物が第１の作動条件制約型スイッチであるか否かを認識し得、よって、第１の作動条件制約型スイッチと第２の作動条件制約型スイッチとは相互に認証する機能を有するように出来る。また、請求項２１の発明に比べて小型に出来る。
【０３１５】
請求項２２の発明は、請求項２１記載の作動条件制約型スイッチ装置において、第１の作動条件制約型スイッチは、第１のスイッチ部の端子がモールドベースの背面側に設けてある構成であり、第２の作動条件制約型スイッチは、第１のスイッチ部の端子部と第２のスイッチ部の端子部とがモールドベースの背面側に設けてある構成であるため、スイッチ部の端子部がモールドベースの背面側に設けてあることによって、スイッチ部の端子部の形状が永久磁石のサイズを制限しないようになり、永久磁石のサイズは請求項２０〜２３の発明の作動条件制約型スイッチ装置における永久磁石より大きく出来、よって、スイッチ部の動作の確実性を向上させることが出来る。
【０３１６】
請求項２３の発明は、電子機器本体と該電子機器本体に装着される装着体とよりなる電子機器において、電子機器本体又は装着体のうち何れか一方に、請求項１乃至１１のうち何れか一項の作動条件制約型スイッチが組み込んであり、他方に、請求項１２乃至１４のうち何れか一項の外部磁界発生ユニットが組み込んである構成としたものであるため、作動条件制約型スイッチが装着体に組み込んである構成にあっては、装着体は、これが電子機器本体に装着された場合にのみ正常に動作するように出来る。作動条件制約型スイッチが電子機器本体に組み込んである構成にあっては、電子機器本体は、これに装着体が装着された場合にのみ正常に動作するように出来る。
【０３１７】
請求項２４の発明は、電子機器本体と該電子機器本体に装着される装着体とよりなる電子機器において、該電子機器本体に、リード片よりなるスイッチ部と、永久磁石を有し、該装着体に、リード片よりなるスイッチ部と、永久磁石とを有し、該電子機器本体のスイッチ部及び永久磁石と、該装着体のスイッチ部及び永久磁石とは、該装着体が該電子機器本体に装着された状態で、電子機器本体の永久磁石と装着体のスイッチ部とが対向し、電子機器本体のスイッチ部が装着体の永久磁石と対向する関係となる構成としたものであるため、装着体は、これが電子機器本体に装着されたことを認識して、この場合にのみ正常に動作するように出来る。また、電子機器本体は、これに装着体が装着されたことを認識して、この場合にのみ正常に動作するように出来、且つ、海賊版である装着体が装着された場合には、動作しないように出来る。
【０３１８】
請求項２５の発明は、電子機器本体と該電子機器本体に装着される装着体とよりなる電子機器において、電子機器本体又は装着体のうち何れか一方に、請求項１８乃至２３のうち何れか一項に記載の第１の作動条件制約型スイッチが組み込んであり、他方に、請求項１８乃至２３のうち何れか一項に記載の第２の作動条件制約型スイッチが組み込んである構成としたものであるため、装着体は、これが電子機器本体に装着されたことを認識して、この場合にのみ正常に動作するように出来る。また、電子機器本体は、これに装着体が装着されたことを認識して、この場合にのみ正常に動作するように出来、海賊版である装着体が装着された場合には、動作しないように出来る。
【図面の簡単な説明】
【図１】リード片を用いたスイッチを示す図である。
【図２】本発明の第1実施例になる作動条件制約型スイッチの分解斜視図である。
【図３】図２の作動条件制約型スイッチの断面図である。
【図４】図２の作動条件制約型スイッチの概略構成図である。
【図５】本発明の第２実施例になる作動条件制約型スイッチの分解斜視図である。
【図６】図５の作動条件制約型スイッチの断面図である。
【図７】図５の作動条件制約型スイッチの概略構成図である。
【図８】本発明の第３実施例になる作動条件制約型スイッチを示す図である。
【図９】図８の作動条件制約型スイッチの概略構成図である。
【図１０】永久磁石の磁極の向きが逆である場合のスイッチの動作を説明する図である。
【図１１】本発明の第４実施例になる作動条件制約型スイッチを示す図である。
【図１２】図１１の作動条件制約型スイッチの概略構成図である。
【図１３】本発明の第５実施例になる作動条件制約型スイッチを示す図である。
【図１４】図１３の作動条件制約型スイッチの概略構成図である。
【図１５】本発明の第６実施例になる作動条件制約型スイッチを示す図である。
【図１６】図１５の作動条件制約型スイッチの概略構成図である。
【図１７】本発明の第７実施例になる作動条件制約型スイッチを示す図である。
【図１８】図１７の作動条件制約型スイッチの断面図である。
【図１９】図１７中、スイッチ本体を分解して示す図である。
【図２０】インサートフレーム部材を示す図である。
【図２１】インサートモールド部品を示す図である。
【図２２】本発明の磁界発生ユニットの第１実施例を作動条件制約型スイッチと併せて示す図である。
【図２３】Ｚ方向を磁極とする永久磁石の位置とスイッチ部に作用する磁気的吸引力との関係を示す図である。
【図２４】Ｘ方向を磁極とする永久磁石の位置とスイッチ部に作用する磁気的吸引力との関係を示す図である。
【図２５】本発明の磁界発生ユニットの第２実施例を作動条件制約型スイッチと併せて示す図である。
【図２６】本発明の磁界発生ユニットの第３実施例を作動条件制約型スイッチと併せて示す図である。
【図２７】永久磁石の変形例を示す図である。
【図２８】本発明の作動条件制約型スイッチの一実施例を示す図である。
【図２９】本発明の作動条件制約型スイッチ装置の第１実施例を示す図である。
【図３０】図２９中の第１の作動条件制約型スイッチを示す図である。
【図３１】本発明の作動条件制約型スイッチ装置の第２実施例を示す図である。
【図３２】図３１中の作動条件制約型スイッチを示す図である。
【図３３】本発明の作動条件制約型スイッチ装置の第３実施例を示す図である。
【図３４】図３３中の作動条件制約型スイッチを示す図である。
【図３５】本発明の作動条件制約型スイッチ装置の第４実施例を示す図である。
【図３６】図３５中の第１の作動条件制約型スイッチを示す図である。
【図３７】図３５中の第２の作動条件制約型スイッチを示す図である。
【図３８】本発明の作動条件制約型スイッチ装置の第５実施例を示す図である。
【符号の説明】
２０，２０Ａ，７０，７０Ａ，１２０，１２０Ａ、１６０、１６０Ｄ  作動条件制約型スイッチ
２１、１６１  第１のスイッチ部
２２、１６２  第２のスイッチ部
２３、７１  ベース
２５  接続部材
２６、２６Ａ、７４、７４Ａ  カバー
２６Ａａ、７４Ａａ  開口
３４  磁気ギャップ
４１  第1の永久磁石
４１Ａ  第1の永久磁石組立体
４２  第２の永久磁石
４２Ａ  第２の永久磁石組立体
５１〜５４  磁極片
７２、１３０，１３１，１３１Ａ  継鉄・永久磁石組立体
９０  永久磁石
１６３  スイッチ組立体
１６４  カバー
１６４ａ  天板部
１６６  インサートモールドベース
１６７  モールドベース本体
１６７ａ，１６７ｂ  浅い凹部
１６８  接続部材
１６９、１７０  端子部材
１８０  インサートフレーム部材
１８１  長方形のフレーム部
１９０，２００  Ｔ字形状部
１９１、２０１  頭の部分
１９２、２０２  脚の部分
１９２ａ１，２０２ａ１  実装用の端子部
２１０  Ｈ字形状部
２１１，２１２  Ｉ字形状部
２１３  連結梁部
２２０  銅合金製の板材
２２１、２２２  帯状部
２３０  インサートモールド部品
２４０〜２４３  リード片
３００、３００Ａ  外部磁界発生ユニット
３０１、３０２  永久磁石
３０３  モールド体
３１０、３１０Ａ、３１０Ｄ  作動条件制約型スイッチ装置
３６０  第３の永久磁石
３７０、３７０Ａ  永久磁石
３８０  永久磁石
４００，４００Ａ〜４００Ｄ  作動条件制約型スイッチ装置
４１０−１，４００−１Ａ〜４００−１Ｄ  第１の作動条件制約型スイッチ
４１０−２，４００−２Ａ〜４００−２Ｄ  第２の作動条件制約型スイッチ
４１１−１，４１１−１Ａ〜４１１−１Ｄ  第１のスイッチ部
４１２−１，４１２−１Ａ〜４１２−１Ｄ  第２のスイッチ部
４２１−１、４２１−１Ａ〜４２１−１Ｄ  第１の永久磁石片
４２２−１、４２２−１Ａ〜４２２−１Ｄ  第２の永久磁石片
５００，５００Ａ〜５００Ｄ  電池パック
５１０，５１０Ａ〜５１０Ｄ  電子機器本体
５２０、５２０Ａ〜５２０Ｄ  電子機器
【図１】
0003996758.tif 000002
【図２】
0003996758.tif 000003
【図３】
0003996758.tif 000004
【図４】
0003996758.tif 000005
【図５】
0003996758.tif 000006
【図６】
0003996758.tif 000007
【図７】
0003996758.tif 000008
【図８】
0003996758.tif 000009
【図９】
0003996758.tif 000010
【図１０】
0003996758.tif 000011
【図１１】
0003996758.tif 000012
【図１２】
0003996758.tif 000013
【図１３】
0003996758.tif 000014
【図１４】
0003996758.tif 000015
【図１５】
0003996758.tif 000016
【図１６】
0003996758.tif 000017
【図１７】
0003996758.tif 000018
【図１８】
0003996758.tif 000019
【図１９】
0003996758.tif 000020
【図２０】
0003996758.tif 000021
【図２１】
0003996758.tif 000022
【図２２】
0003996758.tif 000023
【図２３】
0003996758.tif 000024
【図２４】
0003996758.tif 000025
【図２５】
0003996758.tif 000026
【図２６】
0003996758.tif 000027
【図２７】
0003996758.tif 000028
【図２８】
0003996758.tif 000029
【図２９】
0003996758.tif 000030
【図３０】
0003996758.tif 000031
【図３１】
0003996758.tif 000032
【図３２】
0003996758.tif 000033
【図３３】
0003996758.tif 000034
【図３４】
0003996758.tif 000035
【図３５】
0003996758.tif 000036
【図３６】
0003996758.tif 000037
【図３７】
0003996758.tif 000038
【図３８】
0003996758.tif 000039